(57)【要約】【課題】エネルギー供給会社からエネルギーの供給を受ける顧客のエネルギーの使用形態に合ったエネルギー供給者を示す情報を取得する手間を低減する。【解決手段】料金比較装置は、エネルギー供給者の顧客を識別する顧客情報、エネルギー供給者を識別する供給者情報及び顧客がエネルギー供給者から請求される料金を示す料金情報が含まれる請求情報を取得する請求情報取得部と、請求情報取得部が取得した請求情報を、エネルギー供給者と、エネルギー供給者とは異なる他のエネルギー供給者との間の料金の比較に使用することの顧客の承諾の有無を示す承諾情報を取得する承諾情報取得部と、請求情報に基づいて、エネルギー供給者と、他のエネルギー供給者との間の料金を比較する比較部と、承諾情報取得部が取得した承諾情報が請求情報の使用の承諾が有ることを示す場合、比較部が比較した比較結果を顧客に出力する出力部とを備える。【選択図】図１
2017173876.tif 000002
【特許請求の範囲】
【請求項１】
エネルギー供給者の顧客を識別する顧客情報、前記エネルギー供給者を識別する供給者情報及び前記顧客が前記エネルギー供給者から請求される料金を示す料金情報が含まれる請求情報を取得する請求情報取得部と、
前記請求情報取得部が取得した前記請求情報を、前記エネルギー供給者と、前記エネルギー供給者とは異なる他のエネルギー供給者との間の前記料金の比較に使用することの前記顧客の承諾の有無を示す承諾情報を取得する承諾情報取得部と、
前記請求情報に基づいて、前記エネルギー供給者と、前記他のエネルギー供給者との間の前記料金を比較する比較部と、
前記承諾情報取得部が取得した前記承諾情報が前記請求情報の使用の承諾が有ることを示す場合、前記比較部が比較した比較結果を前記顧客に出力する出力部と
を備える料金比較装置。
【請求項２】
前記比較部は、
前記請求情報のうち、当該請求情報についての使用の承諾が有ることを示す前記承諾情報が関連付けられている第１請求情報と、前記請求情報のうち、当該請求情報についての使用の承諾が無いことを示す前記承諾情報が関連付けられている第２請求情報とのうち、少なくとも１つに基づいて、前記料金を比較し、
前記出力部は、
前記承諾情報取得部が取得した前記承諾情報が前記第１請求情報の使用の承諾が有ることを示す場合、前記比較部が比較した比較結果を前記顧客に出力する
ことを特徴とする請求項１に記載の料金比較装置。
【請求項３】
前記比較部は、
前記請求情報のうち、当該請求情報についての使用の承諾が有ることを示す前記承諾情報が関連付けられている第１請求情報と、前記請求情報のうち、当該請求情報についての使用の承諾が有ることを示す前記承諾情報が関連付けられている請求情報であって、前記第１請求情報とは異なる請求情報である第３請求情報とのうち、少なくとも１つに基づいて、前記料金を比較し、
前記出力部は、
前記承諾情報取得部が取得した前記承諾情報が前記第１請求情報の使用の承諾が有ることを示す場合、前記比較部が比較した比較結果を前記顧客に出力する
ことを特徴とする請求項１又は請求項２に記載の料金比較装置。
【請求項４】
前記比較部は、
前記顧客と前記エネルギー供給者との間の契約内容を示す契約情報と、前記顧客が前記エネルギー供給者から供給されるエネルギーの消費量を示す消費量情報とのうち、少なくとも１つと、前記請求情報とに基づいて、前記エネルギー供給者と、前記他のエネルギー供給者との間の、前記料金を比較する
ことを特徴とする請求項１から請求項３のいずれか一項に記載の料金比較装置。
【請求項５】
前記出力部は、
前記比較部が比較した比較結果を前記他のエネルギー供給者に出力する
ことを特徴とする請求項１から請求項４のいずれか一項に記載の料金比較装置。
【請求項６】
前記出力部は、
前記他のエネルギー供給者のうち、前記比較部が比較した前記料金が最も安価となる前記他のエネルギー供給者に前記比較結果を出力する
ことを特徴とする請求項５に記載の料金比較装置。
【請求項７】
前記出力部は、
前記比較部が比較した比較結果をすべての前記他のエネルギー供給者に出力する
ことを特徴とする請求項５に記載の料金比較装置。
【請求項８】
コンピュータに
エネルギー供給者の顧客を識別する顧客情報、前記エネルギー供給者を識別する供給者情報及び前記顧客が前記エネルギー供給者から請求される料金を示す料金情報が含まれる請求情報を取得する請求情報取得ステップと、
前記請求情報取得ステップが取得した前記請求情報を、前記エネルギー供給者と、前記エネルギー供給者とは異なる他のエネルギー供給者との間の前記料金の比較に使用することの前記顧客の承諾の有無を示す承諾情報を取得する承諾情報取得ステップと、
前記請求情報に基づいて、前記エネルギー供給者と、前記他のエネルギー供給者との間の前記料金を比較する比較ステップと、
前記承諾情報取得ステップが取得した前記承諾情報が前記請求情報の使用の承諾が有ることを示す場合、前記比較ステップが比較した比較結果を前記顧客に出力する出力ステップと
を実行させる料金比較プログラム。
【発明の詳細な説明】
【技術分野】
【０００１】
本発明は、料金比較装置及び料金比較プログラムに関する。
【背景技術】
【０００２】
電力供給会社から電力の供給を受ける顧客は、電力供給会社との契約に基づいて、当該顧客が使用する電力量に応じた電気使用料金を電力供給会社に支払う。電力供給会社は、複数の料金プランを有する。料金プランとは、顧客と電力供給会社との契約の種類である。複数の料金プランにおいて、電力の契約容量、時間帯や曜日によって料金単価は異なる。
顧客は、電力供給会社が有する複数の料金プランから、当該顧客の電力の使用形態に見合った料金プランを選択し、電力供給会社と契約する。
【０００３】
電力自由化に伴い、顧客は、複数の電力供給会社から当該顧客の電力の使用形態に見合った料金プランを選択することができる。また、複数の電力供給会社は、複数の電力会社毎に異なる複数の料金プランを有する。
ここで、顧客には、複数の電力供給会社が有する複数の料金プランのうち、当該顧客の電力の使用形態に見合った料金プランを提案するサービスを提供することが求められる場合がある。
【０００４】
従来、複数の電力供給会社が有する複数の料金プランのうち、顧客の電力の使用形態に合った料金プランを提示する技術が知られている（例えば、特許文献１。）。
【先行技術文献】
【特許文献】
【０００５】
【特許文献１】特開２０１２−６３８１４号公報
【発明の概要】
【発明が解決しようとする課題】
【０００６】
ここで、特許文献１に記載された従来の技術では、顧客が、当該顧客の電力の使用形態に合った電気使用料金に関する情報を取得するため、インターネットに接続されたＰＣ（Ｐｅｒｓｏｎａｌ  Ｃｏｍｐｕｔｅｒ）を使用することが求められる場合があった。
例えば、従来の技術では、顧客がＰＣやスマートフォン等（以下ＰＣ等）を使用することが不得手な高齢者である場合や、顧客がＰＣ等を所有していない場合には、当該顧客が電力の使用形態に合った料金プランを提供する電力供給会社を示す情報を取得することが困難である場合があった。したがって、従来の技術では、顧客が電力の使用形態に合った料金プランを提供する電力供給会社を示す情報を取得する手間を低減することが困難である場合があった。
【０００７】
また、顧客が、当該顧客の使用形態に合った料金プランを選択する状況は電力供給会社に限られない。例えば、ガス会社や水道局等からガスや水等のエネルギーを供給するエネルギー供給会社は、電力供給会社と同様、顧客のエネルギーの使用形態に合わせて複数の料金プランを有する。したがって、従来の技術では、エネルギー供給会社からエネルギーの供給を受ける顧客は、当該顧客のエネルギーの使用形態に合った料金プランを提供するエネルギー供給者を示す情報を取得する手間を低減することが困難である場合があった。
本発明は、上記問題に鑑みて為されたものであり、エネルギー供給会社からエネルギーの供給を受ける顧客のエネルギーの使用形態に合ったエネルギー供給者を示す情報を取得する手間を低減することを目的とする。
【課題を解決するための手段】
【０００８】
本発明の一態様は、エネルギー供給者の顧客を識別する顧客情報、前記エネルギー供給者を識別する供給者情報及び前記顧客が前記エネルギー供給者から請求される料金を示す料金情報が含まれる請求情報を取得する請求情報取得部と、前記請求情報取得部が取得した前記請求情報を、前記エネルギー供給者と、前記エネルギー供給者とは異なる他のエネルギー供給者との間の前記料金の比較に使用することの前記顧客の承諾の有無を示す承諾情報を取得する承諾情報取得部と、前記請求情報に基づいて、前記エネルギー供給者と、前記他のエネルギー供給者との間の前記料金を比較する比較部と、前記承諾情報取得部が取得した前記承諾情報が前記請求情報の使用の承諾が有ることを示す場合、前記比較部が比較した比較結果を前記顧客に出力する出力部とを備える料金比較装置である。
【０００９】
本発明の一態様の料金比較装置において、前記比較部は、前記請求情報のうち、当該請求情報についての使用の承諾が有ることを示す前記承諾情報が関連付けられている第１請求情報と、前記請求情報のうち、当該請求情報についての使用の承諾が無いことを示す前記承諾情報が関連付けられている第２請求情報とのうち、少なくとも１つに基づいて、前記料金を比較し、前記出力部は、前記承諾情報取得部が取得した前記承諾情報が前記第１請求情報の使用の承諾が有ることを示す場合、前記比較部が比較した比較結果を前記顧客に出力する。
【００１０】
本発明の一態様の料金比較装置において、前記比較部は、前記請求情報のうち、当該請求情報についての使用の承諾が有ることを示す前記承諾情報が関連付けられている第１請求情報と、前記請求情報のうち、当該請求情報についての使用の承諾が有ることを示す前記承諾情報が関連付けられている請求情報であって、前記第１請求情報とは異なる請求情報である第３請求情報とのうち、少なくとも１つに基づいて、前記料金を比較し、前記出力部は、前記承諾情報取得部が取得した前記承諾情報が前記第１請求情報の使用の承諾が有ることを示す場合、前記比較部が比較した比較結果を前記顧客に出力する。
【００１１】
本発明の一態様の料金比較装置において、前記比較部は、前記顧客と前記エネルギー供給者との間の契約内容を示す契約情報と、前記顧客が前記エネルギー供給者から供給されるエネルギーの消費量を示す消費量情報とのうち、少なくとも１つと、前記請求情報とに基づいて、前記エネルギー供給者と、前記他のエネルギー供給者との間の、前記料金を比較する。
【００１２】
本発明の一態様の料金比較装置において、前記出力部は、前記比較部が比較した比較結果を前記他のエネルギー供給者に出力する。
【００１３】
本発明の一態様の料金比較装置において、前記出力部は、前記他のエネルギー供給者のうち、前記比較部が比較した前記料金が最も安価となる前記他のエネルギー供給者に前記比較結果を出力する。
【００１４】
本発明の一態様の料金比較装置において、前記出力部は、前記比較部が比較した比較結果をすべての前記他のエネルギー供給者に出力する。
【００１５】
本発明の一態様は、コンピュータにエネルギー供給者の顧客を識別する顧客情報、前記エネルギー供給者を識別する供給者情報及び前記顧客が前記エネルギー供給者から請求される料金を示す料金情報が含まれる請求情報を取得する請求情報取得ステップと、前記請求情報取得ステップが取得した前記請求情報を、前記エネルギー供給者と、前記エネルギー供給者とは異なる他のエネルギー供給者との間の前記料金の比較に使用することの前記顧客の承諾の有無を示す承諾情報を取得する承諾情報取得ステップと、前記請求情報に基づいて、前記エネルギー供給者と前記他のエネルギー供給者との間の前記料金を比較する比較ステップと、前記承諾情報取得ステップが取得した前記承諾情報が前記請求情報の使用の承諾が有ることを示す場合、前記比較ステップが比較した比較結果を前記顧客に出力する出力ステップとを実行させる料金比較プログラム。
【発明の効果】
【００１６】
本発明によれば、エネルギー供給会社からエネルギーの供給を受ける顧客のエネルギーの使用形態に合ったエネルギー供給者を示す情報を取得する手間を低減することができる。
【図面の簡単な説明】
【００１７】
【図１】第１実施形態の料金比較装置の概要を説明する図である。
【図２】本実施形態の払込票の一例を示す図である。
【図３】本実施形態の料金比較装置の構成の一例を示す図である。
【図４】本実施形態の料金比較装置の動作の一例を示す流れ図である。
【図５】第２実施形態の料金比較装置の概要を説明する図である。
【図６】本実施形態のＰＯＳ情報の一例を示す表である。
【図７】本実施形態の料金比較装置の構成の一例を示す図である。
【図８】第３実施形態におけるＰＯＳ情報の一例を示す表である。
【図９】本実施形態の料金比較装置の構成の一例を示す図である。
【発明を実施するための形態】
【００１８】
［第１実施形態：第１請求情報に基づく比較結果］
以下、図を参照して本発明の第１実施形態について説明する。
図１は、第１実施形態の料金比較装置１の概要を説明する図である。
以下、本実施形態では、料金比較装置１が、電力供給会社から顧客ＣＭへ送付される料金請求書ＢＬを用いて、当該顧客ＣＭに合った料金プランを提供する電力供給会社を顧客ＣＭに提示する構成の一例について説明する。顧客ＣＭとは、電力供給会社から電力の供給を受ける顧客である。料金請求書ＢＬとは、電力供給会社が顧客ＣＭに電気使用料金を請求するために送付される請求書である。
【００１９】
なお、電力供給会社は、顧客ＣＭに電力を供給する一般電気事業者に限られない。電力供給会社には、一般電気事業者の他、小売電気事業者等、顧客へ電気の供給を担う電気事業者が含まれる。
【００２０】
［販売端末を介した電気使用料金の支払い］
図１に示す通り、店舗ＳＰには、販売端末ＣＤが設置される。店舗ＳＰとは、例えば、コンビニエンスストアである。また、販売端末ＣＤとは、例えば、レジスターである。販売端末ＣＤには、バーコードリーダーＢＲが接続される。バーコードリーダーＢＲとは、バーコードを読み取る装置である。店舗ＳＰの店舗顧客ＳＣＭは、店舗ＳＰにおいて商品の購入や公共料金等の支払いを行う。
店舗ＳＰの店員ＳＳは、販売端末ＣＤのバーコードリーダーＢＲを用いて店舗ＳＰにおいて販売される商品や公共料金等の払込票ＰＳに付されるバーコードを読み取る。ここで、払込票ＰＳとは、例えば、料金請求書ＢＬである。
【００２１】
具体的には、店員ＳＳは、販売端末ＣＤのバーコードリーダーＢＲを用いて、店舗顧客ＳＣＭが購入する商品に付されるバーコードや店舗顧客ＳＣＭの料金請求書ＢＬに付されるバーコードを読み取る。
ここで、顧客ＣＭは、店舗ＳＰの店舗顧客ＳＣＭとして料金請求書ＢＬが示す電気使用料金を電力供給会社に支払う場合がある。つまり、顧客ＣＭは、店舗顧客ＳＣＭである場合がある。
【００２２】
販売端末ＣＤは、店員ＳＳがバーコードリーダーＢＲを用いて読み込んだ各種商品及び払込票ＰＳのバーコードに基づいて、各種商品の価格及び払込票ＰＳに示される公共料金等の合計金額を計算する。また、販売端末ＣＤは、各種商品及び公共料金等の料金の収納処理を行う。
【００２３】
［電気使用料金請求書について］
以下、図２を参照して払込票ＰＳの詳細について説明する。
図２は、本実施形態の払込票ＰＳの一例を示す図である。
図２に示す通り、料金請求書ＢＬには、エネルギー供給者名ＰＶＮ、顧客名ＣＮ、請求額ＢＡ、請求期日ＤＰ、バーコードＢＣ等が示される。
エネルギー供給者名ＰＶＮとは、顧客ＣＭが電力の供給を受ける電力供給会社の名称である。顧客名ＣＮとは、顧客ＣＭの名称である。請求額ＢＡとは、顧客ＣＭが使用した電力に基づいて、顧客ＣＭが請求される電気使用料金の金額である。請求期日ＤＰとは、請求額ＢＡの支払期限である。
【００２４】
バーコードＢＣには、複数桁の数値及び符号であるバーコード情報ＢＣＩが既知の規則によって示される。この一例では、バーコード情報ＢＣＩには、電力供給会社が顧客ＣＭに請求する請求の内容を示す数値が含まれる。具体的には、バーコード情報ＢＣＩには、顧客情報ＣＩＤ、エネルギー供給者情報ＰＩＤ、料金情報ＦＩ及び請求期日ＤＰ等が、電力供給会社が顧客ＣＭに請求する請求の内容を示す数値として含まれる。
顧客情報ＣＩＤとは、顧客ＣＭ毎に予め設定された顧客ＣＭを識別する情報である。また、エネルギー供給者情報ＰＩＤとは、複数の電力供給会社毎に予め設定された電力供給会社を識別する情報である。料金情報ＦＩとは、料金請求書ＢＬに示される請求額ＢＡを示す情報である。また、請求期日ＤＰとは、請求額ＢＡを支払う期限を示す情報である。
以降の説明において、顧客情報ＣＩＤ、エネルギー供給者情報ＰＩＤ、料金情報ＦＩ及び請求期日ＤＰを総称して請求情報ＢＬＩと記載する。
【００２５】
また、払込票ＰＳには、料金請求書ＢＬ以外の情報が含まれる場合がある。図２に示す通り、この一例では、払込票ＰＳには、料金請求書ＢＬと店舗控情報ＳＣと顧客契約使用情報ＣＡＵと領収書情報ＲＣとが含まれる。
店舗控情報ＳＣとは、顧客ＣＭが店舗ＳＰにおいて料金請求書ＢＬに示される請求額ＢＡを支払ったことを証明する情報である。
また、顧客契約使用情報ＣＡＵとは、顧客ＣＭが使用する使用電力量を示す情報である。具体的には、顧客契約使用情報ＣＡＵには、顧客ＣＭが使用する使用電力量を示すエネルギー消費量ＥＣが含まれる。また、顧客契約使用情報ＣＡＵには、顧客ＣＭが電力供給会社と契約する契約の種類を示す契約情報ＡＣが含まれる。
また、領収書情報ＲＣとは、店舗ＳＰが顧客ＣＭに対して料金請求書ＢＬに示される請求額ＢＡを領収したことを示す情報である。
【００２６】
なお、上述では、バーコード情報ＢＣＩには、料金請求書ＢＬに示される顧客情報ＣＩＤ、エネルギー供給者情報ＰＩＤ、料金情報ＦＩ及び請求期日ＤＰ等又は対応する情報が含まれる場合について説明したが、これに限られない。バーコード情報ＢＣＩには、料金請求書ＢＬに示される情報の他、顧客ＣＭに関する情報が含まれていてもよい。例えば、バーコード情報ＢＣＩには、顧客契約使用情報ＣＡＵに示されるエネルギー消費量ＥＣ及び契約情報ＡＣ等の情報が含まれていてもよい。
【００２７】
［料金請求書に基づく電気使用料金の比較の承諾］
図１に戻り、本実施形態の料金比較装置１は、販売端末ＣＤの内部に備えられる。上述したように、料金請求書ＢＬには、バーコードＢＣが付される。店員ＳＳは、販売端末ＣＤのバーコードリーダーＢＲを用いて料金請求書ＢＬに付されるバーコードＢＣを読み取る。
ここで、料金比較装置１は、バーコードＢＣのバーコード情報ＢＣＩに含まれる請求情報ＢＬＩを、料金の比較に使用することの承諾を顧客ＣＭに要求する。
具体的には、図１に示す通り、料金比較装置１は、バーコードリーダーＢＲが料金請求書ＢＬに付されるバーコードＢＣを読み取ったことに応じて、販売端末ＣＤが備えるタッチパネルＴＰに承諾の可否を取得する画像を表示する。タッチパネルＴＰに表示される画面に基づいて、顧客ＣＭが請求情報ＢＬＩを料金の比較に使用することを承諾した場合、料金比較装置１は、請求情報ＢＬＩに基づいて複数の電力供給会社が有する複数の料金プランによって顧客ＣＭに請求される料金を比較する。
【００２８】
［料金比較装置１の構成］
以下、図３を参照して料金比較装置１の構成について説明する。
図３は、本実施形態の料金比較装置１の構成の一例を示す図である。
図３に示す通り、この一例では、バーコードリーダーＢＲと料金比較装置１とは、接続される。バーコードリーダーＢＲは、読み込んだバーコードＢＣのバーコード情報ＢＣＩを料金比較装置１に供給する。
また、図３に示す通り、タッチパネルＴＰと料金比較装置１とは、接続される。また、図３に示す通り、タッチパネルＴＰは、表示装置ＴＰＤと入力装置ＴＰＥとを備える。表示装置ＴＰＤは、料金比較装置１の制御に基づいて、請求情報ＢＬＩを料金の比較に使用することの顧客ＣＭの承諾を求める画面である承諾要求画面ＡＰ１を表示する。また、入力装置ＴＰＥは、表示装置ＴＰＤの承諾要求画面ＡＰ１の表示に応じて入力される情報を示す入力情報ＴＰＩを料金比較装置１に供給する。
【００２９】
図３に示す通り、料金比較装置１は、制御部１００を備える。制御部１００は、ＣＰＵ（Ｃｅｎｔｒａｌ  Ｐｒｏｃｅｓｓｉｎｇ  Ｕｎｉｔ）を備えており、請求情報取得部１１０と表示制御部１２０と承諾情報取得部１３０と比較部１５０と出力部１６０とをその機能部として備える。
【００３０】
請求情報取得部１１０は、バーコードリーダーＢＲからバーコード情報ＢＣＩを取得する。請求情報取得部１１０は、バーコード情報ＢＣＩに含まれる請求情報ＢＬＩを比較部１５０へ供給する。
以下、バーコードリーダーＢＲがＡさんの２０１６年２月分の電気使用料金を請求する料金請求書ＢＬを読み込むものとして説明する。つまり、当該料金請求書ＢＬを電力供給会社から請求されている顧客ＣＭがＡさんであるものとして説明する。
具体的には、バーコードリーダーＢＲは、２０１６年２月分の電気使用料金を請求する料金請求書ＢＬに付されるバーコードＢＣを読み込む。請求情報取得部１１０は、バーコード情報ＢＣＩに含まれる２０１６年２月分の請求情報ＢＬＩを比較部１５０に供給する。
以降の説明において、２０１６年２月分の請求情報ＢＬＩを請求情報ＢＬＩ２と記載する。すなわち、請求情報取得部１１０は、取得したバーコード情報ＢＣＩに含まれる請求情報ＢＬＩ２を比較部１５０に供給する。
【００３１】
表示制御部１２０は、請求情報取得部１１０が請求情報ＢＬＩを取得したことに応じて、請求情報ＢＬＩを料金の比較に使用することの承諾を顧客ＣＭに求める画面である承諾要求画面ＡＰ１を表示装置ＴＰＤに表示する。承諾要求画面ＡＰ１とは、例えば、「料金請求書ＢＬに記載の情報に基づいて、他の電力供給会社と料金の比較を行いますか？」と記載された画面である。
上述したように、この一例では、請求情報取得部１１０は、請求情報ＢＬＩ２を取得する。すなわち、表示制御部１２０は、請求情報取得部１１０が請求情報ＢＬＩ２を取得したことに応じて、請求情報ＢＬＩ２を料金の比較に使用することの承諾をＡさんに求める承諾要求画面ＡＰ１を表示装置ＴＰＤに表示する。
【００３２】
承諾情報取得部１３０は、承諾要求画面ＡＰ１が表示装置ＴＰＤに表示されること応じて入力装置ＴＰＥに入力される入力情報ＴＰＩを取得する。
上述したように、この一例では、表示制御部１２０は、請求情報取得部１１０が請求情報ＢＬＩ２を取得したことに応じて、承諾要求画面ＡＰ１を表示装置ＴＰＤに表示する。すなわち、この一例では、承諾情報取得部１３０は、承諾要求画面ＡＰ１が表示装置ＴＰＤに表示されることに応じて入力装置ＴＰＥに入力される入力情報ＴＰＩを取得する。
【００３３】
承諾情報取得部１３０は、入力装置ＴＰＥに入力される入力情報ＴＰＩに含まれる請求情報ＢＬＩを料金比較に使用することの顧客ＣＭの承諾の有無を示す情報を出力部１６０に供給する。ここで、請求情報ＢＬＩを料金の比較に使用することの顧客ＣＭの承諾の有無を示す情報を承諾情報ＡＣＣと記載する。また、請求情報取得部１１０が取得する請求情報ＢＬＩに関する承諾情報ＡＣＣを承諾情報ＡＣＣ１と記載する。これにより、承諾情報取得部１３０は、入力装置ＴＰＥに入力される入力情報ＴＰＩに含まれる承諾情報ＡＣＣ１を出力部１６０に供給する。
【００３４】
上述したように、この一例では、入力装置ＴＰＥに入力される入力情報ＴＰＩとは、Ａさんに請求情報ＢＬＩ２を料金の比較に使用することの承諾を求める承諾要求画面ＡＰ１が表示装置ＴＰＤに表示されることに応じて入力装置ＴＰＥに入力される情報である。すなわち、この一例では、承諾情報取得部１３０は、請求情報ＢＬＩ２に関する承諾情報ＡＣＣ１を出力部１６０に供給する。
また、この一例では、Ａさんが請求情報ＢＬＩ２を料金の比較に使用することを承諾する。したがって、請求情報ＢＬＩ２に関する承諾情報ＡＣＣ１が請求情報ＢＬＩ２を料金の比較に使用することの顧客ＣＭの承諾が有ることを示す。
【００３５】
比較部１５０は、請求情報取得部１１０から請求情報ＢＬＩを取得する。本実施形態の比較部１５０は、第１請求情報に基づいて、料金を比較する。
第１請求情報とは、請求情報取得部１１０が取得した請求情報ＢＬＩであって、当該請求情報ＢＬＩを料金の比較に使用することの承諾が有ることを示す承諾情報ＡＣＣ１が関連付けられた請求情報ＢＬＩである。
【００３６】
上述したように、この一例では、請求情報ＢＬＩ２は、請求情報取得部１１０取得した請求情報ＢＬＩであって、請求情報ＢＬＩ２を料金の比較に使用することのＡさんの承諾が有る承諾情報ＡＣＣ１が関連付けられた請求情報ＢＬＩである。つまり、この一例では、請求情報ＢＬＩ２とは、第１請求情報である。
【００３７】
比較部１５０は、請求情報取得部１１０から第１請求情報である請求情報ＢＬＩを取得する。比較部１５０は、第１請求情報である請求情報ＢＬＩに基づいて、料金を比較する。比較部１５０は、請求情報ＢＬＩに含まれるエネルギー供給者情報ＰＩＤが示す電力供給会社と、エネルギー供給者情報ＰＩＤが示す電力供給会社とは異なる他の電力供給会社との間の料金を比較する。
【００３８】
比較部１５０は、第１請求情報である請求情報ＢＬＩ２に基づいて、料金を比較する。また、この一例では、比較部１５０は、第１請求情報である請求情報ＢＬＩ２に含まれる料金情報ＦＩが示す請求額ＢＡに基づいて、料金を比較する。以降の説明において、第１請求情報に基づく比較結果ＣＲを比較結果ＣＲ１と記載する。比較部１５０は、比較を行い、顧客ＣＭの電力の使用形態の場合、当該顧客ＣＭに合った料金プランを提供する電力供給会社を示す情報を比較結果ＣＲ１として出力部１６０に供給する。
【００３９】
出力部１６０は、承諾情報取得部１３０から承諾情報ＡＣＣ１を取得する。また、出力部１６０は、比較部１５０から比較結果ＣＲ１を取得する。
出力部１６０は、承諾情報ＡＣＣ１が顧客ＣＭの承諾が有ることを示す場合、比較結果ＣＲ１を出力する。また、出力部１６０は、承諾情報ＡＣＣ１が顧客ＣＭの承諾が無いことを示す場合、比較結果ＣＲ１を出力しない。
これにより、請求情報ＢＬＩを料金の比較に使用することについて顧客ＣＭの承諾が無い場合、顧客ＣＭの請求情報ＢＬＩは、料金の収納以外の目的に使用されない。
上述したように、この一例では、請求情報ＢＬＩ２に関する承諾情報ＡＣＣ１が、Ａさんの承諾が有ることを示す情報である。
したがって、この一例では、出力部１６０は、比較結果ＣＲ１を出力する。
【００４０】
［出力部の比較結果の出力方法］
出力部１６０は、承諾情報ＡＣＣ１が顧客ＣＭの承諾が有ることを示す場合、比較結果ＣＲ１を顧客ＣＭに供給する。
例えば、出力部１６０は、比較結果ＣＲ１をタッチパネルＴＰの表示装置ＴＰＤに出力する。この場合、表示装置ＴＰＤには、比較結果ＣＲ１が示す当該顧客ＣＭに合った料金プランを提供する電力供給会社の名称が表示される。
【００４１】
なお、上述では、出力部１６０が比較結果ＣＲ１をタッチパネルＴＰの表示装置ＴＰＤに表示する場合について説明したが、これに限られない。例えば、出力部１６０は、メールやダイレクトメール等によって顧客ＣＭに比較結果ＣＲ１を出力してもよい。
例えば、顧客ＣＭが店舗ＳＰにおいて料金請求書ＢＬを用いて電気使用料金を支払う際に、ポイントカード等を提示する場合がある。この場合、顧客ＣＭがポイントカード登録時に提供した顧客ＣＭの情報を参照することができる。ここで、ポイントカード登録時に顧客ＣＭが提供した顧客ＣＭの情報とは、例えば、顧客ＣＭの生年月日、性別、住所、電話番号及びメールアドレス等の情報である。これにより、出力部１６０は、顧客ＣＭがポイントカードの登録時に提供した顧客ＣＭのメールアドレスや住所宛に、メールやダイレクトメールによって比較結果ＣＲ１を出力してもよい。
【００４２】
また、出力部１６０は、販売端末ＣＤが出力するレシートに比較結果ＣＲ１を印刷することにより、比較結果ＣＲ１を出力してもよい。また、出力部１６０は、比較結果ＣＲ１が表示されるホーム―ページのアドレスを示すＵＲＬ（Ｕｎｉｆｏｒｍ  Ｒｅｓｏｕｒｃｅ  Ｌｏｃａｔｏｒ）や２次元バーコードをレシートに印刷してもよい。この場合、顧客ＣＭは、レシートに記載されたＵＲＬや２次元バーコードにアクセスすることによって、比較結果ＣＲ１を取得してもよい。
【００４３】
［料金比較装置の動作］
以下、図４を参照して、本実施形態の料金比較装置１の動作について説明する。
図４は、本実施形態の料金比較装置１の動作の一例を示す流れ図である。
図４に示す通り、請求情報取得部１１０は、バーコードリーダーＢＲからバーコード情報ＢＣＩを取得する（ステップＳ１１０）。請求情報取得部１１０は、取得したバーコード情報ＢＣＩに請求情報ＢＬＩが含まれるか否かを判定する（ステップＳ１２０）。請求情報取得部１１０は、取得したバーコード情報ＢＣＩに請求情報ＢＬＩが含まれると判定する場合、（ステップＳ１２０；ＹＥＳ）、バーコード情報ＢＣＩに含まれる請求情報ＢＬＩを承諾情報取得部１３０に供給する（ステップＳ１３０）。また、請求情報取得部１１０は、取得したバーコード情報ＢＣＩに請求情報ＢＬＩが含まれないと判定する場合（ステップＳ１２０；ＮＯ）、処理を終了する。
【００４４】
承諾情報取得部１３０は、表示装置ＴＰＤに承諾要求画面ＡＰ１が表示されたことに応じて入力装置ＴＰＥに入力される入力情報ＴＰＩを取得する（ステップＳ１４０）。承諾情報取得部１３０は、取得した入力情報ＴＰＩに含まれる承諾情報ＡＣＣ１を出力部１６０に供給する（ステップＳ１５０）。
【００４５】
比較部１５０は、請求情報取得部１１０から請求情報ＢＬＩを取得する（ステップＳ１６０）。比較部１５０は、取得した請求情報ＢＬＩに基づいて、請求情報ＢＬＩに含まれるエネルギー供給者情報ＰＩＤが示す電力供給会社と、エネルギー供給者情報ＰＩＤが示す電力供給会社以外の電力供給会社との間の電気使用料金を比較する（ステップＳ１７０）。比較部１５０は、比較した比較結果ＣＲ１を出力部１６０に供給する（ステップＳ１８０）。
【００４６】
出力部１６０は、承諾情報取得部１３０から承諾情報ＡＣＣ１を取得する（ステップＳ１９０）。出力部１６０は、比較部１５０から比較結果ＣＲ１を取得する（ステップＳ２００）。出力部１６０は、取得した承諾情報ＡＣＣ１が顧客ＣＭの承諾が有ることを示すか否かを判定する（ステップＳ２１０）。出力部１６０は、取得した承諾情報ＡＣＣ１が顧客ＣＭの承諾が有ることを示す場合（ステップＳ２１０；ＹＥＳ）、比較結果ＣＲ１を出力する（ステップＳ２２０）。また、出力部１６０は、取得した承諾情報ＡＣＣ１が顧客ＣＭの承諾が無いことを示す場合（ステップＳ２１０；ＮＯ）、比較結果ＣＲ１を出力しない（ステップＳ２３０）。
【００４７】
以上説明したように、料金比較装置１は、制御部１００を備える。制御部１００は、請求情報取得部１１０と表示制御部１２０と承諾情報取得部１３０と比較部１５０と出力部１６０とをその機能部として備える。
請求情報取得部１１０と比較部１５０と出力部１６０とを備える。
請求情報取得部１１０は、バーコードリーダーＢＲを介して料金請求書ＢＬから請求情報ＢＬＩを取得する。
比較部１５０は、請求情報取得部１１０が取得した請求情報ＢＬＩに基づいて、複数の電力供給会社の間の料金を比較する。
出力部１６０は、比較部１５０による比較結果ＣＲ１を顧客ＣＭに対して出力する。
【００４８】
上述の構成により、料金比較装置１は、料金請求書ＢＬをバーコードリーダーＢＲに読み取らせることにより、電力供給会社の間において比較した比較結果ＣＲ１を顧客ＣＭに提示する。この料金比較装置１を利用することにより、顧客ＣＭは、例えばＰＣなどへの情報入力を行うことなく、電力供給者間の料金の比較結果ＣＲ１を入手することができる。
したがって、顧客ＣＭは、ＰＣの操作が不得手であったり、ＰＣを所有していない場合であっても、電力供給会社の間の料金の比較結果ＣＲ１を入手することができる。つまり、料金比較装置１は、電力供給会社の間の料金の比較結果ＣＲ１を入手するための顧客ＣＭの手間を低減することができる。
【００４９】
また、料金比較装置１は、表示制御部１２０と承諾情報取得部１３０と出力部１６０とを備える。
表示制御部１２０は、料金請求書ＢＬの請求情報ＢＬＩに基づいて、料金の比較を行うことの承諾を得るための文面を、表示装置ＴＰＤに表示する。
承諾情報取得部１３０は、表示装置ＴＰＤに表示された承諾を得るための文面を見た顧客ＣＭが、文面の内容に承諾することを示す承諾操作を検出する。
出力部１６０は、承諾情報取得部１３０が承諾操作を検出したことに応じて、比較部１５０による比較結果ＣＲ１を顧客ＣＭに対して出力する。
【００５０】
上述の構成により、本実施形態の料金比較装置１は、顧客ＣＭの承諾が有る場合にのみ、電力供給会社間の料金の比較結果ＣＲ１を顧客ＣＭに提示する。この料金比較装置１を利用することにより、顧客ＣＭは、自らの承諾が無い場合には、料金請求書ＢＬの請求情報ＢＬＩを料金の比較に勝手に利用されてしまうことを抑止することができる。
本実施形態の料金比較装置１は、顧客ＣＭの承諾が無い場合には料金の比較を行わないことを顧客ＣＭに周知することにより、請求情報ＢＬＩを料金の比較に利用する顧客ＣＭの心理的な抵抗感を低減することができる。
【００５１】
つまり、本実施形態の料金比較装置１によれば、請求情報ＢＬＩを料金の比較に利用する場合の顧客ＣＭの心理的な抵抗感を低減しつつ、料金の比較結果ＣＲ１を入手するための顧客ＣＭの手間を低減することができる。したがって、本実施形態の料金比較装置１によれば、電力供給会社の料金の比較結果ＣＲ１の実施を、顧客ＣＭに対して促すことができる。
【００５２】
また、顧客ＣＭの中には、当該顧客ＣＭが契約している料金プランの変更が可能であることを知らない顧客ＣＭが存在する場合がある。本実施形態の料金比較装置１によれば、電力供給会社の料金の比較結果ＣＲ１を出力することにより、料金プランの変更が可能であることを知らない顧客ＣＭに対して当該顧客ＣＭが料金プランを見直す機会を提供することができる。
【００５３】
［バーコードに請求情報が含まれていない場合］
なお、上述では、料金請求書ＢＬに付されるバーコードＢＣには、請求情報ＢＬＩが含まれている場合について説明したが、これに限られない。料金請求書ＢＬには、料金請求書ＢＬを識別する請求書識別番号のみを示すバーコードＢＣが付されていてもよい。ここで、請求書識別番号とは、予め設定される料金請求書ＢＬを識別する番号であって、料金請求書ＢＬ毎に互いに異なる番号である。
例えば、サーバーには、請求書識別番号と請求情報ＢＬＩとが関連付けられて記憶されており、当該サーバーと販売端末ＣＤとがネットワークを介して接続されている場合がある。この場合、販売端末ＣＤは、料金請求書ＢＬに付されるバーコードＢＣを読み込むことにより、請求書識別番号を取得する。また、販売端末ＣＤは、取得した請求書識別番号を検索キーにしてサーバーを検索することにより、請求書識別番号に関連付けられている請求情報ＢＬＩを取得する。これにより、販売端末ＣＤは、料金請求書ＢＬと料金請求書ＢＬに関連付けられた請求情報ＢＬＩとを取得する。
【００５４】
［ＰＯＳシステムの概要］
なお、上述のサーバーとは、例えば、ＰＯＳ（ｐｏｉｎｔ  ｏｆ  ｓａｌｅｓ）システムが備えるストアコントローラーであってもよい。
ここで、ＰＯＳシステムについて説明する。ＰＯＳシステムとは、商品の販売や公共料金等の支払いが行われる店舗において、その販売データや支払いデータを収集することにより、販売動向を把握するシステムである。
具体的には、ＰＯＳシステムは、ストアコントローラーとＰＯＳ対応レジスターとを備える。ストアコントローラーとは、店舗の売り上げを管理するサーバーである。より具体的には、ストアコントローラーは、店舗において販売されている商品の価格を示すデータ、販売の履歴を示すデータ及び支払いの履歴を示すデータが記憶されるサーバーである。
【００５５】
ＰＯＳ対応レジスターとは、商品及び公共料金等の払込票に付されるバーコードを、バーコードリーダーを用いて読み取る装置である。ＰＯＳ対応レジスターとストアコントローラーとは、ネットワークを介して接続される。ＰＯＳ対応レジスターは、読み取ったバーコードが示す情報を検索キーにしてストアコントローラーであるサーバーを検索する。これにより、ＰＯＳ対応レジスターは、サーバーから商品及び公共料金等の価格を示す情報を取得する。ＰＯＳ対応レジスターは、取得した価格を示す情報に基づいて、商品及び公共料金等の料金の収納処理を行う。
また、ストアコントローラーには、ＰＯＳ対応レジスターが収納処理を行った履歴を示すデータが記憶される。
以降の説明においてＰＯＳ対応レジスターが収納処理を行った履歴を示すデータをＰＯＳ情報Ｐと記載する。したがって、ストアコントローラーには、ＰＯＳ情報Ｐが記憶される。
【００５６】
［ＰＯＳサーバーに記憶される請求情報について］
例えば、店舗顧客ＳＣＭである顧客ＣＭが、ＰＯＳ対応レジスターを備える店舗ＳＰにおいて、料金請求書ＢＬを用いて電気使用料金の支払いを行う場合がある。この場合、ＰＯＳ情報Ｐには、料金請求書ＢＬの支払いの履歴を示すデータが含まれる。
具体的には、ストアコントローラーに記憶されるＰＯＳ情報Ｐには、料金請求書ＢＬに付されるバーコードＢＣのバーコード情報ＢＣＩを示す情報が含まれる。上述したように、料金請求書ＢＬに付されるバーコードＢＣが示すバーコード情報ＢＣＩには、請求情報ＢＬＩが含まれる。したがって、ストアコントローラーに格納される支払い履歴を示すデータには、請求情報ＢＬＩが含まれる。
以下、第２実施形態において料金比較装置２がストアコントローラーであるサーバーに記憶される請求情報ＢＬＩに基づいて比較結果ＣＲを出力する構成について説明する。
また、以降の説明において、ストアコントローラーをＰＯＳサーバーＳＶとも記載する。また、ＰＯＳ対応レジスターを販売端末ＣＤとも記載する。
【００５７】
［第２実施形態：第１請求情報及び第２請求情報に基づく比較結果］
以下、図を参照して本発明の第２実施形態について説明する。
図５は、第２実施形態の料金比較装置２の概要を説明する図である。
上述したように、第１請求情報とは、請求情報取得部１１０が取得した請求情報ＢＬＩであって、当該請求情報ＢＬＩに関する承諾情報ＡＣＣ１が顧客ＣＭの承諾が有ることを示す請求情報ＢＬＩである。
第１実施形態では、料金比較装置１が、第１請求情報のみに基づいて、比較結果ＣＲ１を出力する場合について説明した。
本実施形態では、第１請求情報と、ＰＯＳサーバーＳＶに記憶されるＰＯＳ情報Ｐに含まれる請求情報ＢＬＩとに基づいて比較結果ＣＲを出力する点において、第１実施形態とは異なる。
また、上述した第１実施形態と同一の構成及び動作については、同一の符号を付してその説明を省略する。
【００５８】
［ＰＯＳサーバーと販売端末ＣＤとの構成］
図５に示す通り、販売端末ＣＤとＰＯＳサーバーＳＶとは、ネットワークＮを介して接続される。この一例では、ネットワークＮには、店舗ＳＰ１が備える販売端末ＣＤ１が接続される。また、ネットワークＮには、店舗ＳＰ２が備える販売端末ＣＤ２が接続される。また、ネットワークＮには、店舗ＳＰｎが備える販売端末ＣＤｎが接続される。
【００５９】
ＰＯＳサーバーＳＶには、店舗ＳＰ１、店舗ＳＰ２及び店舗ＳＰｎにおいて販売された商品の履歴や、支払われた公共料金等の履歴を示す情報であるＰＯＳ情報がネットワークＮを介して記憶される。
以降の説明において、店舗ＳＰ１が備える販売端末ＣＤ１が収集し、ＰＯＳサーバーＳＶへ供給するＰＯＳ情報をＰＯＳ情報Ｐ１と記載する。また、店舗ＳＰ２が備える販売端末ＣＤ２が収集し、ＰＯＳサーバーＳＶへ供給するＰＯＳ情報をＰＯＳ情報Ｐ２と記載する。また、店舗ＳＰｎが備える販売端末ＣＤｎが収集し、ＰＯＳサーバーＳＶへ供給するＰＯＳ情報をＰＯＳ情報Ｐｎと記載する。また、以降の説明において、ＰＯＳ情報Ｐ１、ＰＯＳ情報Ｐ２及びＰＯＳ情報Ｐｎを特に区別しない場合には、総称してＰＯＳ情報Ｐと記載する。すなわち、ＰＯＳサーバーＳＶには、各店舗ＳＰが供給したＰＯＳ情報Ｐが記憶される。本実施形態の料金比較装置２は、各店舗の販売端末ＣＤに備えられる。
【００６０】
なお、上述したように、この一例では、ＰＯＳサーバーＳＶと、店舗ＳＰ１、店舗ＳＰ２及び店舗ＳＰｎがそれぞれ備える販売端末ＣＤとがネットワークＮを介して接続される場合について説明したが、これに限られない。ＰＯＳサーバーＳＶには、少なくとも１つの販売端末ＣＤが接続されていればよく、３つ以上の販売端末ＣＤが接続されていてもよい。
【００６１】
また、上述では、店舗ＳＰが１つの販売端末ＣＤを備える場合について説明したが、これに限られない。店舗ＳＰは、複数の販売端末ＣＤを備えていてもよく、ある店舗ＳＰが備える複数の販売端末ＣＤがそれぞれ収集したＰＯＳ情報Ｐを総称してある店舗ＳＰのＰＯＳ情報Ｐとしてもよい。
【００６２】
［ＰＯＳ情報の例］
以下、図６を参照してＰＯＳ情報Ｐの詳細について説明する。
図６は、本実施形態のＰＯＳ情報Ｐの一例を示す表である。
図６に示す通り、この一例では、ＰＯＳサーバーＳＶには、ＩＤ番号と販売年月日と販売時刻と販売曜日と顧客性別と顧客年齢と商品名とバーコード情報ＢＣＩと単価と個数と販売メーカーと商品ジャンルとが互いに関連づけられてＰＯＳ情報Ｐとして記憶されている。
【００６３】
具体的には、図６に示す通り、ＩＤ番号「１４９５８８」と販売年月日「２０１５年１２月３日」と販売時刻「１６：００」と販売曜日「日」と顧客性別「男性」と顧客年齢「若者」と商品名「公共料金」とバーコード情報ＢＣＩ「３４５００６」と単価「４５００」と個数「１」と販売メーカー「電力会社Ｂ」と商品ジャンル名「電気使用料金」とが関連付けられてＰＯＳ情報Ｐとして記憶されている。
また、ＩＤ番号「１７３６４９」と販売年月日「２０１６年１月３日」と販売時刻「１６：００」と販売曜日「日」と顧客性別「男性」と顧客年齢「若者」と商品名「公共料金」とバーコード情報ＢＣＩ「３４５０１２」と単価「５０００」と個数「１」と販売メーカー「電力会社Ｂ」と商品ジャンル名「電気使用料金」とが関連付けられてＰＯＳ情報Ｐとして記憶されている。
【００６４】
ここで、レシートとは、店舗顧客ＳＣＭから商品の購入や公共料金等を店舗ＳＰが領収したことを示す帳票である。レシートには、店舗ＳＰが店舗顧客ＳＣＭから料金を領収する毎に固有の番号が付される。この固有の番号をＩＤ番号という。店舗ＳＰは、店舗顧客ＳＣＭに対して領収書としてＩＤ番号が付されたレシートを発行する。
【００６５】
販売年月日とは、店舗顧客ＳＣＭが店舗ＳＰにおいて商品の購入や各種料金の支払いを行った日付である。販売曜日とは、店舗顧客ＳＣＭが商品の購入や各種料金の支払いを行った曜日である。顧客性別とは、店舗顧客ＳＣＭの性別である。顧客年齢とは、店舗顧客ＳＣＭの年齢である。顧客性別と顧客年齢とは、例えば、店舗顧客ＳＣＭが商品の購入及び各種公共料金等の支払いを行う際、店舗ＳＰの店員ＳＳが販売端末ＣＤに入力する情報である。
【００６６】
商品名とは、店舗顧客ＳＣＭが購入する商品の名称や店舗顧客ＳＣＭが料金を支払った支払先が提供するサービスの名称である。支払い先の名称とは、例えば、公共料金や着払い料金等である。
バーコード情報ＢＣＩとは、バーコードリーダーＢＲが読み取った商品や料金請求書ＢＬに示されるコードである。単価とは、バーコードリーダーＢＲが読み取った商品の単価や、料金請求書ＢＬに示される料金である。個数とは、商品名が示す商品を店舗顧客ＳＣＭが購入した個数である。
【００６７】
販売メーカーとは、店舗顧客ＳＣＭが購入する商品を販売するメーカーの名称である。また、店舗顧客ＳＣＭが各種公共料金等の支払いを行った場合、販売メーカーには、払込票ＰＳに示される公共料金等の支払い先が示される。例えば、店舗顧客ＳＣＭが電気使用料金の支払いを行った場合、販売メーカーには、店舗顧客ＳＣＭである顧客ＣＭに電力を供給する電力供給会社の名称が示される。
【００６８】
商品ジャンルとは、店舗顧客ＳＣＭが購入した商品の属性である。例えば、店舗顧客ＳＣＭが購入した商品が食料品である場合、商品ジャンルには、食料品の属性が示される。また、例えば、店舗顧客ＳＣＭが各種料金の支払いを行った場合、商品ジャンルには、支払い先が提供するサービスの種類等が示される。具体的には、店舗顧客ＳＣＭが電気使用料金の支払いを行った場合には、商品ジャンルには、電気使用料金が示される。
【００６９】
以下、図６に示すＰＯＳ情報Ｐのうち、ＩＤ番号が「１４９５８８」に関連付けられている情報が示す支払い履歴の支払を行った店舗顧客ＳＣＭと、ＩＤ番号が「１７３６４９」に関連付けられている情報が示す支払い履歴の支払いを行った店舗顧客ＳＣＭとが、いずれもＡさんであるものとして説明する。
したがって、図６に示すＰＯＳ情報Ｐのうち、ＩＤ番号が「１４９５８８」に関連付けられて記憶されている電力会社Ｂへの電気使用料金の支払い履歴と、ＩＤ番号が「１７３６４９」に関連付けられて記憶されている電力会社Ｂへの電気使用料金の支払い履歴とは、いずれもＡさんの支払い履歴である。
【００７０】
また、図６に示す通り、ＩＤ番号が「１４９５８８」であるバーコード情報ＢＣＩには、２０１５年１２月分の請求情報ＢＬＩが含まれる。以降の説明において、２０１５年１２月分の請求情報ＢＬＩを請求情報ＢＬＩ１２と記載する。
また、ＩＤ番号が「１７３６４９」であるバーコード情報ＢＣＩには、２０１６年１月分の請求情報ＢＬＩが含まれる。以降の説明において、２０１６年１月分の請求情報ＢＬＩを請求情報ＢＬＩ１と記載する。
上述したように、ＩＤ番号が「１４９５８８」に関連付けられている情報が示す支払い履歴の支払いを行った顧客ＣＭと、ＩＤ番号が「１７３６４９」に関連付けられている情報が示す支払い履歴の支払いを行った顧客ＣＭとは、いずれもＡさんである。したがって、請求情報ＢＬＩ１２に含まれる顧客情報ＣＩＤと、請求情報ＢＬＩ１に含まれる顧客情報ＣＩＤとは、同一の顧客情報ＣＩＤであって、Ａさんを示す顧客情報ＣＩＤである
【００７１】
［料金比較装置２の構成］
以下、図７を参照して本実施形態の料金比較装置２の構成について説明する。
図７は、本実施形態の料金比較装置２の構成の一例を示す図である。
料金比較装置２は、制御部２００を備える。制御部２００は、ＣＰＵを備えており、請求情報取得部１１０と出力部１６０とサーバー情報取得部２１０と表示制御部２２０と承諾情報取得部２３０と比較部２５０をその機能部として備える。
【００７２】
請求情報取得部１１０は、バーコードリーダーＢＲから取得したバーコード情報ＢＣＩに含まれる請求情報ＢＬＩをサーバー情報取得部２１０と比較部２５０とに供給する。
上述したように、この一例では、バーコードリーダーＢＲがＡさんの２０１６年２月分の電気料金の料金請求書ＢＬに付されるバーコードＢＣを読み込む。これにより、請求情報取得部１１０は、請求情報ＢＬＩ２をサーバー情報取得部２１０及び比較部２５０に供給する。
【００７３】
ここで、上述したように、ＩＤ番号「１４９５８８」及びＩＤ番号「１７３６４９」に関連付けられている情報が示す支払い履歴の支払いを行った顧客ＣＭとは、Ａさんである。また、請求情報取得部１１０が取得した請求情報ＢＬＩを含む料金請求書ＢＬが電力供給会社から送付された顧客ＣＭとは、Ａさんである。
すなわち、Ａさんは、以前に料金請求書ＢＬを用いて店舗ＳＰにおいて電気使用料金を支払ったことがある顧客ＣＭである。
【００７４】
サーバー情報取得部２１０は、請求情報取得部１１０から取得した請求情報ＢＬＩに含まれる顧客情報ＣＩＤを検索キーにして、ＰＯＳサーバーＳＶを検索する。サーバー情報取得部２１０は、ＰＯＳサーバーＳＶに記憶されるＰＯＳ情報Ｐから取得した請求情報ＢＬＩに含まれる顧客情報ＣＩＤと同一の顧客情報ＣＩＤを持つ請求情報ＢＬＩを取得する。
サーバー情報取得部２１０は、ＰＯＳサーバーＳＶから取得した請求情報ＢＬＩを比較部２５０に供給する。
【００７５】
また、上述したように、請求情報ＢＬＩ２に含まれる顧客情報ＣＩＤと、請求情報ＢＬＩ１及び請求情報ＢＬＩ１２に含まれる顧客情報ＣＩＤとは、Ａさんを示す顧客情報ＣＩＤである。
【００７６】
ここで、ＰＯＳサーバーＳＶに記憶される請求情報ＢＬＩについて説明する。
例えば、Ａさんが、販売端末ＣＤを備える店舗ＳＰにおいて、料金請求書ＢＬを用いて電気料金を支払う顧客ＣＭであって、かつ請求情報ＢＬＩを料金の比較に使用したことが無い顧客ＣＭである場合がある。
この場合、ＰＯＳサーバーＳＶのＰＯＳ情報Ｐに記憶されるＡさんの支払い履歴には、請求情報ＢＬＩが含まれており、この請求情報ＢＬＩには、Ａさんの承諾が無いことを示す承諾情報ＡＣＣが関連付けられる。
【００７７】
以下、顧客ＣＭが請求情報ＢＬＩを料金の比較に使用したことが無い場合を一例として説明する。これにより、ＰＯＳサーバーＳＶに記憶される請求情報ＢＬＩとは、当該請求情報ＢＬＩに関する承諾情報ＡＣＣが顧客ＣＭの承諾が無いことを示す請求情報ＢＬＩである。
上述したように、この一例では、ＰＯＳサーバーＳＶに記憶される請求情報ＢＬＩとは、請求情報ＢＬＩ１２及び請求情報ＢＬＩ１である。また、上述したように、この一例では、顧客ＣＭが請求情報ＢＬＩを料金の比較に使用したことが無い。すなわち、この一例では、ＰＯＳサーバーＳＶに記憶される請求情報ＢＬＩ１２及び請求情報ＢＬＩ１とは、
請求情報ＢＬＩ１２及び請求情報ＢＬＩ１の承諾情報ＡＣＣが顧客ＣＭの承諾が無いことを示す請求情報ＢＬＩである。
以降の説明において、第１請求情報と同一の顧客情報ＣＩＤが含まれており、かつ請求情報ＢＬＩに関する承諾情報ＡＣＣが顧客ＣＭの承諾が無いことを示す請求情報ＢＬＩを、第２請求情報と記載する。したがって、この一例では、ＰＯＳサーバーＳＶに記憶される請求情報ＢＬＩ１２及び請求情報ＢＬＩ１は、第２請求情報である。
【００７８】
サーバー情報取得部２１０は、サーバーＳＶに記憶されるＰＯＳ情報Ｐから取得した請求情報ＢＬＩに含まれる顧客情報ＣＩＤと同一の顧客情報ＣＩＤを持つ第２請求情報である請求情報ＢＬＩ１２及び請求情報ＢＬＩ１を取得する。
サーバー情報取得部２１０は、ＰＯＳサーバーＳＶから取得した第２請求情報である請求情報ＢＬＩ１２及び請求情報ＢＬＩ１を比較部２５０に供給する。
【００７９】
本実施形態では、表示制御部２２０は、第１請求情報及び第２請求情報を料金の比較に使用することの承諾を顧客ＣＭに求める承諾要求画面ＡＰ２を表示装置ＴＰＤに表示する。具体的には、表示制御部２２０は、請求情報取得部１１０が請求情報ＢＬＩを取得したこと及びサーバー情報取得部２１０がＰＯＳサーバーＳＶから第２請求情報を取得したことに応じて、承諾要求画面ＡＰ２を表示装置ＴＰＤに表示する。
承諾要求画面ＡＰ２とは、例えば、「料金請求書ＢＬに記載の情報と、過去に支払った料金の情報とに基づいて、他の電力供給会社と料金の比較を行いますか？」と記載された画面である。
【００８０】
上述したように、この一例では、請求情報取得部１１０は、バーコードリーダーＢＲから請求情報ＢＬＩ２を取得する。また、サーバー情報取得部２１０は、ＰＯＳサーバーＳＶから請求情報ＢＬＩ１２及び請求情報ＢＬＩ１を取得する。
すなわち、この一例では、表示制御部２２０は、サーバー情報取得部２１０が請求情報ＢＬＩ１２と請求情報ＢＬＩ１とを取得し、請求情報取得部１１０が請求情報ＢＬＩ２を取得したことに応じて、請求情報ＢＬＩ１２、請求情報ＢＬＩ１及び請求情報ＢＬＩ２を料金の比較に使用することの承諾をＡさんに求める承諾要求画面ＡＰ２を表示装置ＴＰＤに表示する。
【００８１】
承諾情報取得部２３０は、表示装置ＴＰＤに承諾要求画面ＡＰ２が表示されること応じて入力装置ＴＰＥに入力される入力情報ＴＰＩを取得する。
上述したように、この一例では、表示制御部２２０は、サーバー情報取得部２１０が請求情報ＢＬＩ１２及び請求情報ＢＬＩ１を取得し、請求情報取得部１１０が請求情報ＢＬＩ２を取得したことに応じて、請求情報ＢＬＩ１２、請求情報ＢＬＩ１及び請求情報ＢＬＩ２を料金の比較に使用することの承諾をＡさんに求める承諾要求画面ＡＰ２を表示装置ＴＰＤに表示する。
すなわち、この一例では、承諾情報取得部２３０は、請求情報ＢＬＩ１２、請求情報ＢＬＩ１及び請求情報ＢＬＩ２を料金の比較に使用することの承諾をＡさんに求める承諾要求画面ＡＰ２が表示装置ＴＰＤに表示されることに応じて入力装置ＴＰＥに入力される入力情報ＴＰＩを取得する。
【００８２】
また、承諾情報取得部２３０は、入力装置ＴＰＥに入力される入力情報ＴＰＩに含まれる情報であって、請求情報取得部１１０及びサーバー情報取得部２１０が取得した請求情報ＢＬＩを料金の比較に使用することの顧客ＣＭの承諾の有無を示す承諾情報ＡＣＣを取得する。
ここで、請求情報取得部１１０及びサーバー情報取得部２１０が取得する請求情報ＢＬＩを料金の比較に使用することの顧客ＣＭの承諾の有無を示す承諾情報ＡＣＣを承諾情報ＡＣＣ１２と記載する。具体的には、承諾情報ＡＣＣ１２とは、第１請求情報及び第２請求情報を料金の比較に使用することの顧客ＣＭの承諾の有無を示す承諾情報ＡＣＣである。
承諾情報取得部２３０は、入力装置ＴＰＥに入力される入力情報ＴＰＩに含まれる承諾情報ＡＣＣ１２を出力部１６０に供給する。
【００８３】
上述したように、この一例では、承諾情報取得部２３０は、入力装置ＴＰＥから請求情報ＢＬＩ１２、請求情報ＢＬＩ１及び請求情報ＢＬＩ２に関する承諾情報ＡＣＣ１２を取得する。承諾情報取得部２３０は、請求情報ＢＬＩ１２、請求情報ＢＬＩ１及び請求情報ＢＬＩ２に関する承諾情報ＡＣＣ１２を出力部１６０に供給する。
また、この一例では、承諾情報ＡＣＣ１２は、請求情報ＢＬＩ１２、請求情報ＢＬＩ１及び請求情報ＢＬＩ２を料金の比較に使用することのＡさんの承諾が有ること示す。
【００８４】
比較部２５０は、請求情報取得部１１０から請求情報ＢＬＩを取得する。また、比較部２５０は、請求情報取得部１１０が取得した請求情報ＢＬＩと同一の顧客情報ＣＩＤを持つ請求情報ＢＬＩをサーバー情報取得部２１０から取得する。
ここで、本実施形態の比較部２５０は、第１請求情報及び第２請求情報に基づいて、料金を比較する。
上述したように、第１請求情報とは、請求情報取得部１１０が取得した請求情報ＢＬＩであって、当該請求情報ＢＬＩを料金の比較に使用することの承諾が有ることを示す承諾情報ＡＣＣが関連付けられた請求情報ＢＬＩである。つまり、この一例では、請求情報ＢＬＩ２とは、第１請求情報である。
【００８５】
また、上述したように、第２請求情報とは、請求情報ＢＬＩに当該請求情報ＢＬＩを料金の比較に使用することの承諾が無いことを示す承諾情報ＡＣＣが関連付けられている請求情報ＢＬＩである。つまり、この一例では、請求情報ＢＬＩ１２及び請求情報ＢＬＩ１とは、第２請求情報である。
【００８６】
上述したように、比較部２５０は、第１請求情報と第２請求情報とに基づいて、料金を比較する。比較部２５０は、第１請求情報及び第２請求情報に基づいて比較した比較結果ＣＲである比較結果ＣＲ１２を出力部１６０に供給する。
【００８７】
出力部１６０は、比較部２５０から比較結果ＣＲ１２を取得する。また、出力部１６０は、承諾情報取得部２３０から承諾情報ＡＣＣ１２を取得する。出力部１６０は、承諾情報ＡＣＣ１２に基づいて、比較結果ＣＲ１２を顧客ＣＭに出力する。
具体的には、出力部１６０は、承諾情報ＡＣＣ１２が、請求情報取得部１１０が取得した請求情報ＢＬＩ及びサーバー情報取得部２１０が取得した請求情報ＢＬＩを料金の比較に使用することの顧客ＣＭの承諾が有ることを示す場合、比較結果ＣＲ１２を顧客ＣＭに出力する。
また、出力部１６０は、承諾情報ＡＣＣ１２が顧客ＣＭの承諾が無いことを示す場合には、比較結果ＣＲ１２を顧客ＣＭに出力しない。
出力部１６０が比較結果ＣＲ１２を顧客ＣＭに供給する方法については、第１実施形態と同様であるため、説明を省略する。
【００８８】
以上説明したように、本実施形態の料金比較装置２は、制御部２００を備える。制御部２００は、請求情報取得部１１０とサーバー情報取得部２１０と表示制御部２２０と承諾情報取得部２３０と比較部２５０と出力部１６０とをその機能部として備える。
請求情報取得部１１０は、バーコード情報ＢＣＩに含まれる請求情報ＢＬＩを比較部２５０へ供給する。
【００８９】
サーバー情報取得部２１０は、請求情報取得部１１０が取得した請求情報ＢＬＩに含まれる顧客情報ＣＩＤを検索キーにして、ＰＯＳサーバーＳＶを検索する。具体的には、サーバー情報取得部２１０は、取得した請求情報ＢＬＩに含まれる顧客情報ＣＩＤと同一の顧客情報ＣＩＤを持つ請求情報ＢＬＩをＰＯＳサーバーＳＶに記憶されるＰＯＳ情報Ｐから取得する。
【００９０】
承諾情報取得部２３０は、請求情報取得部１１０が取得する請求情報ＢＬＩの承諾情報ＡＣＣ１を取得する。また、承諾情報取得部２３０は、サーバー情報取得部２１０がＰＯＳサーバーＳＶから取得する請求情報ＢＬＩの承諾情報ＡＣＣ１２を取得する。
【００９１】
ここで、上述したように、第１請求情報とは、請求情報取得部１１０が取得する請求情報ＢＬＩであって、かつ承諾情報ＡＣＣ１２が顧客ＣＭの承諾が有ることを示す請求情報ＢＬＩである。
また、上述したように、第２請求情報とは、請求情報ＢＬＩを料金の比較に使用することの承諾が無いことを示す承諾情報ＡＣＣが関連付けられる請求情報ＢＬＩである。第２請求情報とは、例えば、請求情報ＢＬＩを料金の比較に使用したことがない顧客ＣＭの過去の請求情報ＢＬＩである。
【００９２】
比較部２５０は、第１請求情報と第２請求情報とに基づいて、料金を比較する。第１請求情報とは、請求情報ＢＬＩに当該請求情報ＢＬＩを料金の比較に使用することの承諾が有ることを示す承諾情報ＡＣＣが関連付けられている請求情報ＢＬＩである。第２請求情報とは、請求情報ＢＬＩに当該請求情報ＢＬＩを料金の比較に使用することの承諾が無いことを示す承諾情報ＡＣＣが関連付けられている請求情報ＢＬＩである。
出力部１６０は、承諾情報取得部２３０が取得した承諾情報ＡＣＣ１２が第１請求情報及び第２請求情報の使用の承諾が有ることを示す場合、比較部２５０が比較した比較結果ＣＲを顧客ＣＭに出力する。
【００９３】
例えば、ＰＯＳサーバーＳＶのＰＯＳ情報Ｐには、複数の第２請求情報が含まれる場合がある。上述したように、第２請求情報は、料金の比較に使用することを顧客ＣＭが承諾していない請求情報ＢＬＩである。
本実施形態の料金比較装置２によれば、顧客ＣＭが第２請求情報である請求情報ＢＬＩを料金の比較に使用することの顧客ＣＭの承諾を一括で得ることができる。これにより、顧客ＣＭが複数ある第２請求情報毎に料金の比較に使用することの承諾を行う手間を低減することができる。
【００９４】
また、本実施形態の料金比較装置２によれば、第１請求情報と第２請求情報との複数の請求情報ＢＬＩを比較に用いることにより、顧客ＣＭの電力の使用形態を示す複数の請求情報ＢＬＩを参照することができる。
ここで、複数の請求情報ＢＬＩとは、電力供給会社から顧客ＣＭに送付された互いに異なる複数の月の料金請求書ＢＬに示される情報である。すなわち、本実施形態の料金比較装置２は、複数の請求情報ＢＬＩを比較に用いることにより、顧客ＣＭの電力の使用形態を季節や期間及び他の顧客ＣＭとの違い等をより精度高く把握することができる。
これにより、本実施形態の料金比較装置２は、複数の電力供給会社の間の比較をより精度高く把握した顧客ＣＭの電力の使用形態に基づいて行うことができる。
すなわち、本実施形態の料金比較装置２によれば、より顧客ＣＭに合った電力供給会社に関する情報を出力することができる。
【００９５】
また、本実施形態の料金比較装置２によれば、顧客ＣＭが電力供給会社から顧客ＣＭに対して送付された料金請求書ＢＬを用いることによって、当該顧客ＣＭの電力の使用形態の場合における電力供給会社の間の料金の比較結果ＣＲを取得することができる。
すなわち、本実施形態の料金比較装置２によれば、顧客ＣＭは、当該顧客ＣＭの電力の使用形態に合った料金プランを提供する電力供給会社を示す比較結果ＣＲを取得することができる。
【００９６】
なお、上述では、料金比較装置２が第１請求情報と第２請求情報とに基づいて、顧客ＣＭに比較結果ＣＲを出力する場合について説明したが、これに限られない。例えば、料金比較装置２は、第２請求情報のみに基づいて、顧客ＣＭに比較結果ＣＲを出力してもよい。以下、料金比較装置２が第２請求情報のみに基づいて、顧客ＣＭに比較結果ＣＲを出力する構成について説明する。
【００９７】
［変形例１：第２請求情報のみに基づく比較］
以下、第２実施形態に係る変形例１について説明する。
第２実施形態では、第１請求情報及び第２請求情報に基づいて、比較結果ＣＲ１２を顧客ＣＭに出力する場合について説明した。
変形例１では、料金比較装置２が第２請求情報のみに基づいて、顧客ＣＭに比較結果ＣＲを出力する点において、第２実施形態とは異なる。
なお、上述した第１実施形態及び第２実施形態と同一の構成及び動作については同一の符号を付してその説明を省略する。
【００９８】
変形例１の料金比較装置２が備える表示制御部２２０は、第２請求情報を料金の比較に使用することの承諾を顧客ＣＭに求める承諾要求画面ＡＰ３を表示装置ＴＰＤに表示する。具体的には、表示制御部２２０は、請求情報取得部１１０が請求情報ＢＬＩを取得したこと及びサーバー情報取得部２１０がＰＯＳサーバーＳＶから第２請求情報を取得したことに応じて、承諾要求画面ＡＰ３を表示装置ＴＰＤに表示する。
承諾要求画面ＡＰ３とは、例えば、「過去に支払った料金の情報に基づいて、他の電力供給会社と料金の比較を行いますか？」と記載された画面である。
【００９９】
上述したように、表示制御部２２０は、サーバー情報取得部２１０が請求情報ＢＬＩ１２と請求情報ＢＬＩ１とを取得し、請求情報取得部１１０が請求情報ＢＬＩ２を取得したことに応じて、請求情報ＢＬＩ１２及び請求情報ＢＬＩ１を料金の比較に使用することの承諾をＡさんに求める承諾要求画面ＡＰ３を表示装置ＴＰＤに表示する。
【０１００】
承諾情報取得部２３０は、表示装置ＴＰＤに承諾要求画面ＡＰ３が表示されること応じて入力装置ＴＰＥに入力される入力情報ＴＰＩを取得する。
上述したように、この一例では、表示制御部２２０は、サーバー情報取得部２１０が請求情報ＢＬＩ１２及び請求情報ＢＬＩ１を取得し、請求情報取得部１１０が請求情報ＢＬＩ２を取得したことに応じて、請求情報ＢＬＩ１２及び請求情報ＢＬＩ１を料金の比較に使用することの承諾をＡさんに求める承諾要求画面ＡＰ３を表示装置ＴＰＤに表示する。
すなわち、この一例では、承諾情報取得部２３０は、請求情報ＢＬＩ１２及び請求情報ＢＬＩ１を料金の比較に使用することの承諾をＡさんに求める承諾要求画面ＡＰ３が表示装置ＴＰＤに表示されることに応じて入力装置ＴＰＥに入力される入力情報ＴＰＩを取得する。
【０１０１】
また、承諾情報取得部２３０は、入力装置ＴＰＥに入力される入力情報ＴＰＩに含まれる情報であって、請求情報取得部１１０及びサーバー情報取得部２１０が取得した請求情報ＢＬＩを料金の比較に使用することの顧客ＣＭの承諾の有無を示す承諾情報ＡＣＣを取得する。
ここで、請求情報取得部１１０が取得した請求情報ＢＬＩに含まれる顧客情報ＣＩＤに基づいて、サーバー情報取得部２１０から取得した請求情報ＢＬＩを料金の比較に使用することに関する顧客ＣＭの承諾の有無を示す承諾情報ＡＣＣを承諾情報ＡＣＣ２と記載する。つまり、承諾情報ＡＣＣ２とは、請求情報取得部１１０が取得した第１請求情報である請求情報ＢＬＩに含まれる情報を、料金収納以外の目的に使用することの顧客ＣＭの承諾の有無を示す承諾情報ＡＣＣである。
承諾情報取得部２３０は、入力装置ＴＰＥに入力される入力情報ＴＰＩに含まれる承諾情報ＡＣＣ２を出力部１６０に供給する。
【０１０２】
上述したように、この一例では、承諾情報取得部２３０は、入力装置ＴＰＥから請求情報ＢＬＩ１２及び請求情報ＢＬＩ１に関する承諾情報ＡＣＣ２を取得する。承諾情報取得部２３０は、請求情報ＢＬＩ１２及び請求情報ＢＬＩ１に関する承諾情報ＡＣＣ２を出力部１６０に供給する。
また、この一例では、承諾情報ＡＣＣ２は、請求情報ＢＬＩ１２及び請求情報ＢＬＩ１を料金の比較に使用することのＡさんの承諾が有ること示す。
【０１０３】
変形例１の比較部２５０は、請求情報取得部１１０が取得した請求情報ＢＬＩと同一の顧客情報ＣＩＤを持つ請求情報ＢＬＩをサーバー情報取得部２１０から取得する。
ここで、変形例１の比較部２５０は、第２請求情報に基づいて、料金を比較する。
上述したように、第２請求情報とは、請求情報ＢＬＩに当該請求情報ＢＬＩを料金の比較に使用することの承諾が無いことを示す承諾情報ＡＣＣが関連付けられている請求情報ＢＬＩである。つまり、この一例では、請求情報ＢＬＩ１２及び請求情報ＢＬＩ１とは、第２請求情報である。
【０１０４】
上述したように、比較部２５０は、第２請求情報に基づいて、料金を比較する。比較部２５０は、第２請求情報に基づいて比較した比較結果ＣＲである比較結果ＣＲ２を出力部１６０に供給する。
【０１０５】
出力部１６０は、比較部２５０から比較結果ＣＲ２を取得する。また、出力部１６０は、承諾情報取得部２３０から承諾情報ＡＣＣ２を取得する。出力部１６０は、承諾情報ＡＣＣ２に基づいて、比較結果ＣＲを顧客ＣＭに出力する。
具体的には、出力部１６０は、承諾情報ＡＣＣ２が、サーバー情報取得部２１０が取得した請求情報ＢＬＩを料金の比較に使用することの顧客ＣＭの承諾が有ることを示す場合、比較結果ＣＲ２を顧客ＣＭに出力する。
また、出力部１６０は、承諾情報ＡＣＣ２が顧客ＣＭの承諾が無いことを示す場合には、比較結果ＣＲを顧客ＣＭに出力しない。
出力部１６０が比較結果ＣＲを顧客ＣＭに供給する方法については、第１実施形態と同様であるため、説明を省略する。
【０１０６】
以上説明したように、変形例１の料金比較装置２が備える比較部２５０は、第２請求情報に基づいて、料金を比較する。出力部１６０は、承諾情報取得部２３０が取得した承諾情報ＡＣＣ２が第１請求情報の使用の承諾が有ることを示す場合、比較部２５０が比較した比較結果ＣＲ２を顧客ＣＭに出力する。
【０１０７】
例えば、顧客ＣＭが、請求情報ＢＬＩに基づいて、他の電力供給会社と料金の比較を行いたいと考えている場合であって、かつバーコードリーダーＢＲが読み込む料金請求書ＢＬに示される請求情報ＢＬＩを比較の基準から除外したいと考える場合がある。
顧客ＣＭが、バーコードリーダーＢＲが読み込む料金請求書ＢＬに示される請求情報ＢＬＩを比較の基準から除外したいと考える場合とは、例えば、当月の電気使用料金が他の月と比較して著しく多い場合や当月の電力の使用形態が他の月と著しく異なる場合等である。この場合、顧客ＣＭは、当月の料金請求書ＢＬに付される請求情報ＢＬＩを比較の基準から除外したいと考える場合がある。
【０１０８】
変形例１の料金比較装置２によれば、第２請求情報である請求情報ＢＬＩのみを比較に用いることにより、当月の料金請求書ＢＬが示す請求情報ＢＬＩである第１請求情報を除く比較結果ＣＲ２を顧客ＣＭが取得することができる。
すなわち、変形例１の料金比較装置２によれば、顧客ＣＭから料金請求書ＢＬが示す請求情報ＢＬＩを比較の基準から除くことを求められる場合、当月の請求情報ＢＬＩを除いた比較結果ＣＲ２を顧客ＣＭに出力することができる。
【０１０９】
また、変形例１の料金比較装置２によれば、顧客ＣＭが第２請求情報である請求情報ＢＬＩを料金の比較に使用することの顧客ＣＭの承諾を一括で得ることができる。これにより、顧客ＣＭが複数ある第２請求情報毎に料金の比較に使用することの承諾を行う手間を低減することができる。
【０１１０】
また、変形例１の料金比較装置２によれば、第２請求情報が複数である場合には、複数の請求情報ＢＬＩを比較に用いることにより、顧客ＣＭの電力の使用形態を示す複数の請求情報ＢＬＩを参照することができる。
これにより、変形例１の料金比較装置２は、複数の電力供給会社の間の比較をより精度高く把握した顧客ＣＭの電力の使用形態に基づいて行うことができる。
すなわち、変形例１の料金比較装置２によれば、より顧客ＣＭに合った電力供給会社に関する情報を出力することができる。
【０１１１】
また、変形例１の料金比較装置２によれば、顧客ＣＭが電力供給会社から顧客ＣＭに対して送付された料金請求書ＢＬを用いることによって、当該顧客ＣＭの電力の使用形態の場合にける電力供給会社の間の料金の比較結果ＣＲを取得することができる。
すなわち、本実施形態の料金比較装置２によれば、顧客ＣＭは、当該顧客ＣＭの電力の使用形態に合った料金プランを提供する電力供給会社を示す比較結果ＣＲ２を取得することができる。
【０１１２】
なお、上述では、顧客ＣＭが過去に請求情報ＢＬＩを料金の比較に使用したことが無い場合について説明したが、これに限られない。
以下、顧客ＣＭが過去に料金請求書ＢＬを料金の比較に使用したことがある場合の実施形態について説明する。
【０１１３】
［第３実施形態：第１請求情報及び第３請求情報に基づく比較結果］
以下、図を参照して本発明の第３実施形態について説明する。
上述したように、第２実施形態では、顧客ＣＭが請求情報ＢＬＩを料金の比較に使用したことが無い場合について説明したが、本実施形態では、顧客ＣＭが請求情報ＢＬＩを料金の比較に使用したことがある場合について説明する。具体的には、顧客ＣＭが過去に請求情報ＢＬＩを料金の比較に使用することに承諾したことが有る場合について説明する。
【０１１４】
［承諾情報が関連付けられたＰＯＳ情報の例］
図８は、第３実施形態におけるＰＯＳ情報Ｐの一例を示す表である。
図８に示す通り、本実施形態のＰＯＳ情報Ｐには、ＩＤ番号、販売年月日、販売時刻、販売曜日、顧客性別、顧客年齢、商品名、バーコード情報ＢＣＩ、単価、個数、販売メーカー及び商品ジャンル名と、承諾情報ＡＣＣとが関連付けられる。
承諾情報ＡＣＣとは、バーコード情報ＢＣＩに含まれる請求情報ＢＬＩを料金の比較に使用することの顧客ＣＭの承諾の有無を示す情報である。
【０１１５】
以下、Ａさんが２０１５年１２月分の料金請求書ＢＬを用いて店舗ＳＰにおいて電気使用料金を支払う際に、電気料金の比較を行ったものとして説明する。
具体的には、上述したように、２０１５年１２月分の料金請求書ＢＬに付されるバーコードＢＣを販売端末ＣＤのバーコードリーダーＢＲが読み取った際に、販売端末ＣＤのタッチパネルＴＰの表示装置ＴＰＤには、承諾要求画面ＡＰ１が表示される。Ａさんは、承諾要求画面ＡＰ１の表示に応じて、請求情報ＢＬＩ１２を料金の比較に用いることを承諾する入力をタッチパネルＴＰの入力装置ＴＰＥに行う。これに伴い、料金比較装置３は、請求情報ＢＬＩ１２に基づいて料金の比較を行う。
料金比較装置３を備える販売端末ＣＤは、請求情報ＢＬＩ１２に関する承諾情報ＡＣＣが顧客ＣＭの承諾が有ることを示す承諾情報ＡＣＣ「有」をＩＤ番号「１４９５８８」と合わせて関連付けられてＰＯＳ情報ＰとしてＰＯＳサーバーＳＶに供給する。
これにより、図８に示す通り、ＩＤ番号「１４９５８８」と承諾情報ＡＣＣ「有」とが関連付けられてＰＯＳ情報ＰとしてＰＯＳサーバーＳＶに記憶される。
【０１１６】
また、以下、Ａさんが２０１６年１月分の料金請求書ＢＬを用いて店舗ＳＰにおいて電気使用料金を支払う際に、電気料金の比較を行っていないものとして説明する。
具体的には、上述したように、２０１６年１月分の料金請求書ＢＬに付されるバーコードＢＣを販売端末ＣＤのバーコードリーダーＢＲが読み取った際に、販売端末ＣＤのタッチパネルＴＰの表示装置ＴＰＤには、承諾要求画面ＡＰ１が表示される。Ａさんは、承諾要求画面ＡＰ１の表示に応じて、請求情報ＢＬＩ１を料金の比較に用いることを承諾しない入力をタッチパネルＴＰの入力装置ＴＰＥに行う。これに伴い、料金比較装置３は、料金の比較を行わない。
料金比較装置３を備える販売端末ＣＤは、請求情報ＢＬＩ１に関する承諾情報ＡＣＣが顧客ＣＭの承諾が無いことを示す承諾情報ＡＣＣ「無」をＩＤ番号「１７３６４９」と合わせて関連付けられてＰＯＳ情報ＰとしてＰＯＳサーバーＳＶに供給する。
これにより、図８に示す通り、ＩＤ番号「１７３６４９」と承諾情報ＡＣＣ「無」とが関連付けられてＰＯＳ情報ＰとしてＰＯＳサーバーＳＶに記憶される。
【０１１７】
［料金比較装置３の構成］
以下、図９を参照して本実施形態の料金比較装置３の構成について説明する。
図９は、本実施形態の料金比較装置３の構成の一例を示す図である。
料金比較装置３は、制御部３００を備える。制御部３００は、ＣＰＵを備えており、請求情報取得部１１０と出力部１６０とサーバー情報取得部３１０と表示制御部３２０と承諾情報取得部３３０と比較部３５０とをその機能部として備える。
【０１１８】
請求情報取得部１１０は、バーコードリーダーＢＲから取得したバーコード情報ＢＣＩに含まれる請求情報ＢＬＩをサーバー情報取得部３１０と比較部３５０とに供給する。
上述したように、この一例では、バーコードリーダーＢＲがＡさんの２０１６年２月分の電気料金の料金請求書ＢＬに付されるバーコードＢＣを読み込む。これにより、請求情報取得部１１０は、請求情報ＢＬＩ２をサーバー情報取得部３１０及び比較部３５０に供給する。
【０１１９】
サーバー情報取得部３１０は、請求情報取得部１１０から取得した請求情報ＢＬＩに含まれる顧客情報ＣＩＤを検索キーにして、ＰＯＳサーバーＳＶを検索する。サーバー情報取得部３１０は、ＰＯＳサーバーＳＶに記憶されるＰＯＳ情報Ｐから取得した請求情報ＢＬＩに含まれる顧客情報ＣＩＤと同一の顧客情報ＣＩＤを持つ請求情報ＢＬＩであって、当該請求情報ＢＬＩに関する承諾情報ＡＣＣが顧客ＣＭの承諾が有ることを示す請求情報ＢＬＩを取得する。
サーバー情報取得部３１０は、ＰＯＳサーバーＳＶから取得した請求情報ＢＬＩを比較部２５０に供給する。
【０１２０】
上述したように、この一例では、ＰＯＳサーバーＳＶに記憶される請求情報ＢＬＩとは、請求情報ＢＬＩ１２及び請求情報ＢＬＩ１である。
また、この一例では、請求情報ＢＬＩ１２に関する承諾情報ＡＣＣが「有」である。また、この一例では、請求情報ＢＬＩ１に関する承諾情報ＡＣＣが「無」である。
以降の説明において、第１請求情報と同一の顧客情報ＣＩＤが含まれる第１請求情報とは異なる請求情報ＢＬＩであって、当該請求情報ＢＬＩに関する承諾情報ＡＣＣが顧客ＣＭの承諾が有ることを示す請求情報ＢＬＩを第３請求情報と記載する。したがって、この一例では、ＰＯＳサーバーＳＶに記憶される請求情報ＢＬＩ１２は、第３請求情報である。
【０１２１】
サーバー情報取得部３１０は、サーバーＳＶに記憶されるＰＯＳ情報Ｐから取得した請求情報ＢＬＩに含まれる顧客情報ＣＩＤと同一の顧客情報ＣＩＤを持つ第３請求情報である請求情報ＢＬＩ１２を取得する。
サーバー情報取得部３１０は、ＰＯＳサーバーＳＶから取得した第３請求情報である請求情報ＢＬＩ１２を比較部３５０に供給する。
【０１２２】
本実施形態では、表示制御部３２０は、第１請求情報及び第３請求情報を料金の比較に使用することの承諾を顧客ＣＭに求める承諾要求画面ＡＰ４を表示装置ＴＰＤに表示する。具体的には、表示制御部３２０は、請求情報取得部１１０が請求情報ＢＬＩを取得したこと及びサーバー情報取得部３１０がＰＯＳサーバーＳＶから第３請求情報を取得したことに応じて、承諾要求画面ＡＰ４を表示装置ＴＰＤに表示する。
承諾要求画面ＡＰ４とは、例えば、「過去に支払った料金の情報のうち、料金の比較に使用することについて承諾がある情報と料金請求書ＢＬに記載の情報とを、他の電力供給会社との料金の比較に使用しますか？」と記載された画面である。
【０１２３】
上述したように、この一例では、請求情報取得部１１０は、バーコードリーダーＢＲから請求情報ＢＬＩ２を取得する。また、サーバー情報取得部３１０は、ＰＯＳサーバーＳＶから請求情報ＢＬＩ１２を取得する。
すなわち、この一例では、表示制御部３２０は、サーバー情報取得部３１０が請求情報ＢＬＩ１２を取得し、請求情報取得部１１０が請求情報ＢＬＩ２を取得したことに応じて、請求情報ＢＬＩ１２及び請求情報ＢＬＩ２を料金の比較に使用することの承諾をＡさんに求める承諾要求画面ＡＰ４を表示装置ＴＰＤに表示する。
【０１２４】
承諾情報取得部３３０は、表示装置ＴＰＤに承諾要求画面ＡＰ４が表示されること応じて入力装置ＴＰＥに入力される入力情報ＴＰＩを取得する。
上述したように、この一例では、表示制御部３２０は、サーバー情報取得部３１０が請求情報ＢＬＩ１２を取得し、請求情報取得部１１０が請求情報ＢＬＩ２を取得したことに応じて、請求情報ＢＬＩ１２及び請求情報ＢＬＩ２を料金の比較に使用することの承諾をＡさんに求める承諾要求画面ＡＰ４を表示装置ＴＰＤに表示する。
すなわち、この一例では、承諾情報取得部３３０は、請求情報ＢＬＩ１２及び請求情報ＢＬＩ２を料金の比較に使用することの承諾をＡさんに求める承諾要求画面ＡＰ４が表示装置ＴＰＤに表示されることに応じて入力装置ＴＰＥに入力される入力情報ＴＰＩを取得する。
【０１２５】
また、承諾情報取得部３３０は、入力装置ＴＰＥに入力される入力情報ＴＰＩに含まれる情報であって、請求情報取得部１１０及びサーバー情報取得部３１０が取得した請求情報ＢＬＩを料金の比較に使用することの顧客ＣＭの承諾の有無を示す承諾情報ＡＣＣを取得する。
ここで、請求情報取得部１１０及びサーバー情報取得部３１０が取得する請求情報ＢＬＩを料金の比較に使用することの顧客ＣＭの承諾の有無を示す承諾情報ＡＣＣを承諾情報ＡＣＣ１３と記載する。具体的には、承諾情報ＡＣＣ１３とは、第１請求情報及び第３請求情報を料金の比較に使用することの顧客ＣＭの承諾の有無を示す承諾情報ＡＣＣである。
承諾情報取得部３３０は、入力装置ＴＰＥに入力される入力情報ＴＰＩに含まれる承諾情報ＡＣＣ１３を出力部１６０に供給する。
【０１２６】
上述したように、この一例では、承諾情報取得部３３０は、入力装置ＴＰＥから請求情報ＢＬＩ１２及び請求情報ＢＬＩ２に関する承諾情報ＡＣＣ１３を取得する。承諾情報取得部３３０は、請求情報ＢＬＩ１２及び請求情報ＢＬＩ２に関する承諾情報ＡＣＣ１３を出力部１６０に供給する。
また、この一例では、承諾情報ＡＣＣ１３は、請求情報ＢＬＩ１２及び請求情報ＢＬＩ２を料金の比較に使用することのＡさんの承諾が有ること示す。
【０１２７】
比較部３５０は、請求情報取得部１１０から請求情報ＢＬＩを取得する。また、比較部３５０は、請求情報取得部１１０が取得した請求情報ＢＬＩと同一の顧客情報ＣＩＤを持つ請求情報ＢＬＩをサーバー情報取得部３１０から取得する。
ここで、本実施形態の比較部３５０は、第１請求情報及び第３請求情報のうち、少なくとも１つに基づいて、料金を比較する。
上述したように、第１請求情報とは、請求情報取得部１１０が取得した請求情報ＢＬＩであって、当該請求情報ＢＬＩを料金の比較に使用することの承諾が有ることを示す承諾情報ＡＣＣが関連付けられた請求情報ＢＬＩである。つまり、この一例では、請求情報ＢＬＩ２とは、第１請求情報である。
【０１２８】
また、上述したように、第３請求情報とは、第１請求情報と同一の顧客情報ＣＩＤが含まれる第１請求情報とは異なる請求情報ＢＬＩであって、当該請求情報ＢＬＩに関する承諾情報ＡＣＣが顧客ＣＭの承諾が有ることを示す請求情報ＢＬＩである。つまり、この一例では、請求情報ＢＬＩ１２とは、第３請求情報である。
【０１２９】
上述したように、比較部３５０は、第１請求情報と第３請求情報とに基づいて、料金を比較する。比較部３５０は、第１請求情報及び第３請求情報に基づいて比較した比較結果ＣＲである比較結果ＣＲ１３を出力部１６０に供給する。
【０１３０】
出力部１６０は、比較部３５０から比較結果ＣＲ１３を取得する。また、出力部１６０は、承諾情報取得部３３０から承諾情報ＡＣＣ１３を取得する。出力部１６０は、承諾情報ＡＣＣ１３に基づいて、比較結果ＣＲ１３を顧客ＣＭに出力する。
具体的には、出力部１６０は、承諾情報ＡＣＣ１３が、請求情報取得部１１０が取得した請求情報ＢＬＩ及びサーバー情報取得部３１０が取得した請求情報ＢＬＩを料金の比較に使用することの顧客ＣＭの承諾が有ることを示す場合、比較結果ＣＲ１３を顧客ＣＭに出力する。
また、出力部１６０は、承諾情報ＡＣＣ１３が顧客ＣＭの承諾が無いことを示す場合には、比較結果ＣＲ１３を顧客ＣＭに出力しない。
出力部１６０が比較結果ＣＲ１３を顧客ＣＭに供給する方法については、第１実施形態と同様であるため、説明を省略する。
【０１３１】
以上説明したように、比較部３５０は、第１請求情報と、第３請求情報とに基づいて、料金を比較する。第１請求情報とは、請求情報ＢＬＩのうち、当該請求情報ＢＬＩについての使用の承諾が有ることを示す請求情報ＢＬＩが関連付けられている請求情報ＢＬＩである。また、第３請求情報とは、第１請求情報と同一の顧客情報ＣＩＤが含まれる第１請求情報とは異なる請求情報ＢＬＩであって、当該請求情報ＢＬＩに関する承諾情報ＡＣＣが顧客ＣＭの承諾が有ることを示す請求情報ＢＬＩである。
出力部１６０は、承諾情報取得部３３０が取得した承諾情報ＡＣＣ１３が第１請求情報の使用の承諾が有ることを示す場合、比較部２５０が比較した比較結果ＣＲ１３を顧客ＣＭに出力する。
【０１３２】
例えば、ＰＯＳサーバーＳＶのＰＯＳ情報Ｐには、複数の請求情報ＢＬＩが含まれる場合がある。また、ＰＯＳサーバーＳＶに記憶されるＰＯＳ情報Ｐに含まれる複数の請求情報ＢＬＩは、当該請求情報ＢＬＩに関する承諾情報ＡＣＣが顧客ＣＭの承諾が有る請求情報ＢＬＩと無い請求情報ＢＬＩとが混在している場合がある。
本実施形態の料金比較装置３によれば、顧客ＣＭが第３請求情報である請求情報ＢＬＩを料金の比較に使用することができる。すなわち、本実施形態の料金比較装置３によれば、複数の請求情報ＢＬＩのうち、請求情報ＢＬＩを料金の比較に使用することの顧客ＣＭの承諾がある請求情報ＢＬＩを料金の比較に使用することができる。したがって、請求情報ＢＬＩが顧客ＣＭの意に反して料金の比較に使用されることを抑止することができる。
【０１３３】
また、本実施形態の料金比較装置３によれば、第３請求情報が複数である場合には、複数の請求情報ＢＬＩを比較に用いることにより、顧客ＣＭの電力の使用形態を示す複数の請求情報ＢＬＩを参照することができる。
これにより、本実施形態の料金比較装置３によれば、複数の電力供給会社の間の比較をより精度高く把握した顧客ＣＭの電力の使用形態に基づいて行うことができる。
すなわち、本実施形態の料金比較装置３によれば、によれば、より顧客ＣＭに合った電力供給会社に関する情報を出力することができる。
【０１３４】
また、本実施形態の料金比較装置３によれば、顧客ＣＭが電力供給会社から顧客ＣＭに対して送付された料金請求書ＢＬを用いることによって、当該顧客ＣＭの電力の使用形態の場合にける電力供給会社の間の料金の比較結果ＣＲを取得することができる。
すなわち、本実施形態の料金比較装置３によれば、顧客ＣＭは、当該顧客ＣＭの電力の使用形態に合った料金プランを提供する電力供給会社を示す比較結果ＣＲを取得することができる。
【０１３５】
なお、上述では、料金比較装置３が第１請求情報と第３請求情報とに基づいて、顧客ＣＭに比較結果ＣＲを出力する場合について説明したが、これに限られない。例えば、料金比較装置３は、第３請求情報のみに基づいて、顧客ＣＭに比較結果ＣＲを出力してもよい。以下、料金比較装置３が第３請求情報のみに基づいて、顧客ＣＭに比較結果ＣＲを出力する構成について説明する。
【０１３６】
［変形例２：第３請求情報のみに基づく比較］
以下、第２実施形態に係る変形例２について説明する。
変形例２では、料金比較装置３が第３請求情報のみに基づいて、顧客ＣＭに比較結果ＣＲを出力する点において、第３実施形態とは異なる。
なお、上述した第１実施形態、第２実施形態、変形例１及び第３実施形態と同一の構成及び動作については同一の符号を付してその説明を省略する。
【０１３７】
変形例２の料金比較装置３が備える表示制御部３２０は、第３請求情報を料金の比較に使用することの承諾を顧客ＣＭに求める承諾要求画面ＡＰ５を表示装置ＴＰＤに表示する。具体的には、表示制御部３２０は、請求情報取得部１１０が請求情報ＢＬＩを取得したこと及びサーバー情報取得部３１０がＰＯＳサーバーＳＶから第３請求情報を取得したことに応じて、承諾要求画面ＡＰ５を表示装置ＴＰＤに表示する。
承諾要求画面ＡＰ５とは、例えば、「過去に支払った料金の情報のうち、料金の比較に使用することについて承諾がある情報を、他の電力供給会社との料金の比較に使用しますか？」と記載された画面である。
【０１３８】
上述したように、表示制御部３２０は、サーバー情報取得部３１０が請求情報ＢＬＩ１２を取得し、請求情報取得部１１０が請求情報ＢＬＩ２を取得したことに応じて、請求情報ＢＬＩ１２を料金の比較に使用することの承諾をＡさんに求める承諾要求画面ＡＰ５を表示装置ＴＰＤに表示する。
【０１３９】
承諾情報取得部３３０は、表示装置ＴＰＤに承諾要求画面ＡＰ５が表示されること応じて入力装置ＴＰＥに入力される入力情報ＴＰＩを取得する。
上述したように、この一例では、表示制御部３２０は、サーバー情報取得部３１０が請求情報ＢＬＩ１２を取得し、請求情報取得部１１０が請求情報ＢＬＩ２を取得したことに応じて、請求情報ＢＬＩ１２を料金の比較に使用することの承諾をＡさんに求める承諾要求画面ＡＰ５を表示装置ＴＰＤに表示する。
すなわち、この一例では、承諾情報取得部３３０は、請求情報ＢＬＩ１２を料金の比較に使用することの承諾をＡさんに求める承諾要求画面ＡＰ５が表示装置ＴＰＤに表示されることに応じて入力装置ＴＰＥに入力される入力情報ＴＰＩを取得する。
【０１４０】
また、承諾情報取得部３３０は、入力装置ＴＰＥに入力される入力情報ＴＰＩに含まれる情報であって、請求情報取得部１１０及びサーバー情報取得部３１０が取得した請求情報ＢＬＩを料金の比較に使用することの顧客ＣＭの承諾の有無を示す承諾情報ＡＣＣを取得する。
ここで、請求情報取得部１１０が取得した請求情報ＢＬＩに含まれる顧客情報ＣＩＤに基づいて、サーバー情報取得部３１０から取得した請求情報ＢＬＩを料金の比較に使用することに関する顧客ＣＭの承諾の有無を示す承諾情報ＡＣＣを承諾情報ＡＣＣ３と記載する。つまり、承諾情報ＡＣＣ３とは、請求情報取得部１１０が取得した請求情報ＢＬＩに含まれる情報を料金収納以外の目的に使用することの顧客ＣＭの承諾の有無を示す承諾情報ＡＣＣである。
承諾情報取得部３３０は、入力装置ＴＰＥに入力される入力情報ＴＰＩに含まれる承諾情報ＡＣＣ３を出力部１６０に供給する。
【０１４１】
上述したように、この一例では、承諾情報取得部３３０は、入力装置ＴＰＥから請求情報ＢＬＩ１２に関する承諾情報ＡＣＣ３を取得する。承諾情報取得部３３０は、請求情報ＢＬＩ１２に関する承諾情報ＡＣＣ３を出力部１６０に供給する。
また、この一例では、承諾情報ＡＣＣ３は、請求情報ＢＬＩ１２を料金の比較に使用することのＡさんの承諾が有ること示す。
【０１４２】
変形例２の比較部３５０は、請求情報取得部１１０が取得した請求情報ＢＬＩと同一の顧客情報ＣＩＤを持つ請求情報ＢＬＩをサーバー情報取得部３１０から取得する。
ここで、変形例２の比較部３５０は、第３請求情報に基づいて、料金を比較する。
上述したように、第３請求情報とは、第１請求情報と同一の顧客情報ＣＩＤが含まれる第１請求情報とは異なる請求情報ＢＬＩであって、当該請求情報ＢＬＩに関する承諾情報ＡＣＣが顧客ＣＭの承諾が有ることを示す請求情報ＢＬＩである。つまり、この一例では、請求情報ＢＬＩ１２とは、第３請求情報である。
【０１４３】
上述したように、比較部３５０は、第３請求情報に基づいて、料金を比較する。比較部３５０は、第３請求情報に基づいて比較した比較結果ＣＲである比較結果ＣＲ３を出力部１６０に供給する。
【０１４４】
出力部１６０は、比較部３５０から比較結果ＣＲ３を取得する。また、出力部１６０は、承諾情報取得部３３０から承諾情報ＡＣＣ３を取得する。出力部１６０は、承諾情報ＡＣＣ３に基づいて、比較結果ＣＲを顧客ＣＭに出力する。
具体的には、出力部１６０は、承諾情報ＡＣＣ３が、サーバー情報取得部３１０が取得した請求情報ＢＬＩを料金の比較に使用することの顧客ＣＭの承諾が有ることを示す場合、比較結果ＣＲ３を顧客ＣＭに出力する。
また、出力部１６０は、承諾情報ＡＣＣ３が顧客ＣＭの承諾が無いことを示す場合には、比較結果ＣＲ３を顧客ＣＭに出力しない。
出力部１６０が比較結果ＣＲ３を顧客ＣＭに供給する方法については、第１実施形態と同様であるため、説明を省略する。
【０１４５】
以上説明したように、変形例２の料金比較装置３が備える比較部３５０は、第３請求情報に基づいて、料金を比較する。出力部１６０は、承諾情報取得部３３０が取得した承諾情報ＡＣＣ３が第１請求情報の使用の承諾が有ることを示す場合、比較部２５０が比較した比較結果ＣＲ３を顧客ＣＭに出力する。
【０１４６】
例えば、変形例１と同様、顧客ＣＭが、請求情報ＢＬＩに基づいて、他の電力供給会社と料金の比較を行いたいと考えている場合であって、かつバーコードリーダーＢＲが読み込む料金請求書ＢＬに示される請求情報ＢＬＩを比較の基準にしたくないと考える場合がある。
【０１４７】
変形例２の料金比較装置３によれば、第３請求情報である請求情報ＢＬＩのみを比較に用いることにより、当月の料金請求書ＢＬが示す請求情報ＢＬＩを除く比較結果ＣＲ３を顧客ＣＭが取得することができる。
すなわち、変形例２の料金比較装置３によれば、顧客ＣＭから料金請求書ＢＬが示す請求情報ＢＬＩを比較の基準から除くことを求められる場合、当月の請求情報ＢＬＩを除いた比較結果ＣＲ３を顧客ＣＭに出力することができる。
【０１４８】
また、  変形例２の料金比較装置３によれば、顧客ＣＭが第３請求情報である請求情報ＢＬＩを料金の比較に使用することができる。すなわち、本実施形態の料金比較装置３によれば、複数の請求情報ＢＬＩのうち、請求情報ＢＬＩを料金の比較に使用することの顧客ＣＭの承諾がある請求情報ＢＬＩを料金の比較に使用することができる。したがって、請求情報ＢＬＩが顧客ＣＭの意に反して料金の比較に使用されることを抑止することができる。
【０１４９】
また、変形例２の料金比較装置３によれば、第３請求情報が複数である場合には、複数の請求情報ＢＬＩを比較に用いることにより、顧客ＣＭの電力の使用形態を示す複数の請求情報ＢＬＩを参照することができる。
これにより、変形例２の料金比較装置３は、複数の電力供給会社の間の比較をより精度高く把握した顧客ＣＭの電力の使用形態に基づいて行うことができる。
すなわち、変形例２の料金比較装置３によれば、より顧客ＣＭに合った電力供給会社に関する情報を出力することができる。
【０１５０】
また、本実施形態の料金比較装置３によれば、顧客ＣＭが電力供給会社から顧客ＣＭに対して送付された料金請求書ＢＬを用いることによって、当該顧客ＣＭの電力の使用形態の場合における電力供給会社の間の料金の比較結果ＣＲを取得することができる。
すなわち、本実施形態の料金比較装置３によれば、顧客ＣＭは、当該顧客ＣＭの電力の使用形態に合った料金プランを提供する電力供給会社を示す比較結果ＣＲ３を取得することができる。
【０１５１】
なお、上述では、顧客ＣＭが電力供給会社から電力供給を受ける顧客である場合について説明したが、これに限られない。
顧客ＣＭは、ガス会社や水道局等の顧客ＣＭであってもよい。したがって、顧客ＣＭは、ガス会社が供給するガスや水道局が供給する水等のエネルギーを供給するエネルギー供給者ＰＶの顧客ＣＭであってもよい。つまり、電力供給会社、ガス会社及び水道局は、エネルギー供給者ＰＶの一例である。また、顧客ＣＭとは、エネルギー供給者ＰＶからエネルギーの供給を受ける顧客である。また、料金請求書ＢＬとは、エネルギー供給者ＰＶが顧客ＣＭに請求するエネルギー使用料金の請求書である。
また、請求情報ＢＬＩに含まれるエネルギー供給者情報ＰＩＤとは、エネルギー供給者ＰＶを識別する情報であって、複数のエネルギー供給者ＰＶ毎に予め設定された情報である。料金情報ＦＩとは、顧客ＣＭがエネルギー供給者ＰＶから請求されるエネルギー使用料金の請求額ＢＡを示す情報である。
【０１５２】
また、上述では、顧客ＣＭが店舗ＳＰにおいて料金請求書ＢＬに付されるバーコードＢＣを用いてエネルギーの使用料金を支払う際に、比較結果ＣＲを取得する場合について説明したが、これに限られない。顧客ＣＭは、料金請求書ＢＬに付されるバーコードＢＣを比較結果ＣＲの取得を目的として使用してもよい。この場合、顧客ＣＭは、比較結果ＣＲを取得する際にエネルギーの使用料金の支払いを行わなくてもよい。
【０１５３】
なお、上述では、比較部１５０、比較部２５０及び比較部３５０が請求情報ＢＬＩに基づいて料金を比較する場合について説明したが、これに限られない。比較部１５０は、料金請求書ＢＬに含まれる情報のうち、請求情報ＢＬＩ以外の情報に基づいて料金を比較してもよい。
【０１５４】
上述したように、払込票ＰＳには、料金請求書ＢＬの他、店舗控情報ＳＣ、顧客契約使用情報ＣＡＵ及び領収書情報ＲＣが含まれる場合がある。
例えば、料金比較装置１、料金比較装置２及び料金比較装置３は、スキャナ等によって取り込んだ払込票ＰＳの画像から文字認識等の既知の方法によって、料金請求書ＢＬに付されるバーコードＢＣ以外の情報を取得してもよい。
具体的には、料金比較装置１、料金比較装置２及び料金比較装置３は、店舗控情報ＳＣ、顧客契約使用情報ＣＡＵ及び領収書情報ＲＣに示される情報を取得してもよい。
【０１５５】
［変形例３：契約情報とエネルギー消費量に基づく比較］
以下、第１実施形態、第２実施形態及び第３実施形態に係る変形例３について説明する。変形例３の料金比較装置４は、請求情報取得部１１０が払込票ＰＳに含まれる料金請求書ＢＬが示す情報の他、顧客契約使用情報ＣＡＵに示されるエネルギー消費量ＥＣ及び契約情報ＡＣを取得する。
以降の説明において、上述した第１実施形態、第２実施形態及び第３実施形態と同一の構成及び動作については、その説明を省略する。
【０１５６】
［契約情報に基づく比較］
以下、料金比較装置４が請求情報ＢＬＩと契約情報ＡＣとに基づいて比較結果ＣＲを出力する一例について説明する。
図２に示す通り、この一例では、払込票ＰＳの顧客契約使用情報ＣＡＵには、顧客ＣＭとエネルギー供給者ＰＶとの間の契約の内容を示す契約情報ＡＣが含まれる。契約情報ＡＣとは、例えば、エネルギー供給者ＰＶが有する料金プランを示す情報である。
料金比較装置４は、上述した既知の方法によって払込票ＰＳから契約情報ＡＣを示す情報を取得する。比較部１５０は、取得した請求情報ＢＬＩと契約情報ＡＣとに基づいて、複数のエネルギー供給者ＰＶの間の料金を比較する。
【０１５７】
例えば、比較部１５０は、請求情報ＢＬＩと、顧客契約使用情報ＣＡＵとに基づいて、顧客ＣＭのエネルギーの使用形態と契約情報ＡＣとが相応であるか比較する。具体的には、請求情報ＢＬＩに含まれる請求額ＢＡが高額であって、かつ契約情報ＡＣに示されるエネルギーの使用単価が高い場合がある。この場合、比較部１５０は、契約情報ＡＣに示される料金プランより基本料が高い料金プランであってもエネルギーの使用単価が低くなるプランを提供することにより、総合的に請求額ＢＡが安くなるか否かを比較し、最もエネルギーの料金が安いエネルギー供給者ＰＶを示す情報を比較結果ＣＲとして出力する。
【０１５８】
［エネルギー消費量と請求情報とに基づく比較］
以下、料金比較装置４が請求情報ＢＬＩと消費量情報ＥＣＩとに基づいて比較結果ＣＲを出力する一例について説明する。
消費量情報ＥＣＩとは、払込票ＰＳの顧客契約使用情報ＣＡＵに示される、顧客ＣＭがある月に消費したエネルギー消費量ＥＣを示す情報である。消費量情報ＥＣＩとは、例えば、消費電力量、ガス使用量及び水使用量等のエネルギー消費量ＥＣを示す情報である。
料金比較装置４は、上述した既知の方法によって払込票ＰＳから消費量情報ＥＣＩを示す情報を取得する。比較部１５０は、請求情報ＢＬＩと消費量情報ＥＣＩとに基づいて、複数のエネルギー供給者ＰＶの間の料金を比較する。
【０１５９】
例えば、比較部１５０は、請求情報ＢＬＩと消費量情報ＥＣＩとに基づいて、顧客ＣＭのエネルギーの使用形態について比較する。具体的には、比較部１５０は、請求情報ＢＬＩに含まれる請求額ＢＡを示す料金情報ＦＩと消費量情報ＥＣＩとに基づいて、消費量情報ＥＣＩの単位量当たりの料金を算出する。比較部１５０は、複数のエネルギー供給者ＰＶの単位量当たりの料金を算出し、最もエネルギー単価が安いエネルギー供給者ＰＶを示す情報を比較結果ＣＲとして出力する。
【０１６０】
なお、上述では、料金比較装置４は、契約情報ＡＣ及び請求情報ＢＬＩ又は消費量情報ＥＣＩ及び請求情報ＢＬＩに基づいて比較結果ＣＲを出力する場合について説明したがが、これに限られない。
料金比較装置４は、契約情報ＡＣと消費量情報ＥＣＩと請求情報ＢＬＩとに基づいて、比較結果ＣＲを出力してもよい。
【０１６１】
以上説明したように、変形例３の料金比較装置４が備える比較部１５０は、顧客ＣＭとエネルギー供給者ＰＶとの間の契約内容を示す契約情報ＡＣと、顧客ＣＭがエネルギー供給者ＰＶから供給されるエネルギーの消費量を示す消費量情報ＥＣＩとのうち、少なくとも１つと、請求情報ＢＬＩとに基づいて、エネルギー供給者ＰＶと、他のエネルギー供給者ＰＶとの間の、料金を比較する。
【０１６２】
これにより、変形例３の料金比較装置４によれば、請求情報ＢＬＩの他契約情報ＡＣと消費量情報ＥＣＩとに基づいて、顧客ＣＭのエネルギーの使用形態をより精度高く把握し、料金を比較することができる。
【０１６３】
なお、上述では、料金比較装置４が制御部１００を備える場合について説明したが、これに限られない。
例えば、料金比較装置４は、制御部１００、制御部２００及び制御部３００のうち、少なくとも１つを備えていればよい。すなわち、料金比較装置１、料金比較装置２および料金比較装置３が、契約情報ＡＣと消費量情報ＥＣＩとのうち、少なくとも１つと、請求情報ＢＬＩとに基づいて比較結果ＣＲを出力してもよい。
【０１６４】
なお、上述では、出力部１６０が比較結果ＣＲを顧客ＣＭに対して出力する場合について説明したが、これに限られない。出力部１６０は、比較部１５０、比較部２５０及び比較部３５０が比較した比較結果ＣＲを他のエネルギー供給者ＰＶに出力してもよい。
具体的には、出力部１６０は、請求情報ＢＬＩに含まれるエネルギー供給者情報ＰＩＤが示すエネルギー供給者ＰＶとは異なる他のエネルギー供給者ＰＶのうち、比較部１５０、比較部２５０及び比較部３５０が比較した料金が最も安価となる他のエネルギー供給者ＰＶに比較結果ＣＲを出力してもよい。
【０１６５】
これにより、比較結果ＣＲに示される最も安い料金を提示するエネルギー供給者ＰＶは、顧客ＣＭが複数のエネルギー供給者ＰＶの間におけるエネルギーの使用料金の比較について関心があることを示す情報を取得することができる。また、最も安い料金を提示するエネルギー供給者ＰＶは、顧客ＣＭに対して、契約を促進する宣伝等を行うことができる。
【０１６６】
また、上述では、出力部１６０が、料金が最も安価となる他のエネルギー供給者ＰＶに比較結果ＣＲを出力する場合について説明したが、これに限られない。
出力部１６０は、請求情報ＢＬＩに含まれるエネルギー供給者情報ＰＩＤが示すエネルギー供給者ＰＶとは異なる他のエネルギー供給者ＰＶのうち、比較部１５０、比較部２５０及び比較部３５０が比較した比較結果ＣＲをすべての他のエネルギー供給者ＰＶに出力してもよい。
【０１６７】
これにより、比較部１５０、比較部２５０及び比較部３５０の比較対象である他のエネルギー供給者ＰＶは、顧客ＣＭが複数のエネルギー供給者ＰＶの間におけるエネルギーの使用料金の比較について関心があることを示す情報を取得することができる。これにより、他のエネルギー供給者ＰＶは、顧客ＣＭに対して、契約を促進する宣伝等を行うことができる。
【０１６８】
なお、上述では、請求情報ＢＬＩを示すバーコードＢＣが、払込票ＰＳに付されている場合について説明したが、これに限られない。販売端末ＣＤが請求情報ＢＬＩを示すバーコードＢＣを読み込むことが可能であれば、バーコードＢＣが付される媒体は、払込票ＰＳには限られない。例えば、販売端末ＣＤが請求情報ＢＬＩを示すバーコードＢＣを読み込むことが可能であれば、バーコードＢＣは、ディスプレイに表示されていてもよい。具体的には、バーコードＢＣは、スマートフォンの画面に表示されていてもよい。
【０１６９】
また、上述では、請求情報ＢＬＩがバーコードＢＣによって示される場合について説明したが、これに限られない。バーコードＢＣは、請求情報ＢＬＩを示す２次元バーコードであってもよい。
【０１７０】
また、上述では、第２請求情報及び第３請求情報がＰＯＳサーバーＳＶに記憶されるＰＯＳ情報Ｐに含まれる場合について説明したが、これに限られない。例えば、第２請求情報及び第３請求情報は、ＰＯＳサーバーＳＶに記憶されるＰＯＳ情報Ｐから請求情報ＢＬＩに関する情報のみを抽出した請求情報サーバーに記憶されていてもよい。
これにより、請求情報サーバーには、請求情報ＢＬＩのみが記憶される。したがって、料金比較装置１、料金比較装置２、料金比較装置３及び料金比較装置４が請求情報ＢＬＩをサーバーから取得する際の処理速度を、ＰＯＳサーバーＳＶから請求情報ＢＬＩを取得する場合と比較して高速にすることができる。すなわち、料金比較装置１、料金比較装置２、料金比較装置３及び料金比較装置４が請求情報ＢＬＩをサーバーから取得する際の処理を低減することができる。
【０１７１】
また、上述では、顧客ＣＭが承諾情報ＡＣＣをタッチパネルＴＰから入力する場合について説明したが、これに限られない。請求情報ＢＬＩを料金の比較に使用することの承諾が有るか否かは、店員ＳＳが顧客ＣＭに問いかけてもよい。この場合、店員ＳＳは、承諾情報ＡＣＣを示す情報を販売端末ＣＤに入力してもよい。
【０１７２】
また、上述では、バーコード情報ＢＣＩに請求情報ＢＬＩが含まれる場合について説明したが、これに限られない。例えば、バーコード情報ＢＣＩには、払込票ＰＳ毎に固有の払込票番号が含まれていてもよい。料金比較装置１は、バーコードリーダーＢＲから取得した払込票ＰＳの払込票番号に基づいて、払込票番号と顧客ＣＭの情報とが関連付けられたサーバーから請求情報ＢＬＩを取得してもよい。
【０１７３】
なお、上記の各実施形態における料金比較装置１、料金比較装置２及び料金比較装置３が備える各部は、専用のハードウェアにより実現されるものであってもよく、また、メモリおよびマイクロプロセッサにより実現させるものであってもよい。
【０１７４】
なお、料金比較装置１、料金比較装置２及び料金比較装置３が備える各部は、メモリおよびＣＰＵ（中央演算装置）により構成され、料金比較装置１、料金比較装置２及び料金比較装置３が備える各部の機能を実現するためのプログラムをメモリにロードして実行することによりその機能を実現させるものであってもよい。
【０１７５】
また、料金比較装置１、料金比較装置２及び料金比較装置３が備える各部の機能を実現するためのプログラムをコンピュータ読み取り可能な記録媒体に記録して、この記録媒体に記録されたプログラムをコンピュータシステムに読み込ませ、実行することにより処理を行ってもよい。なお、ここでいう「コンピュータシステム」とは、ＯＳや周辺機器等のハードウェアを含むものとする。
【０１７６】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバーやクライアントとなるコンピュータシステム内部の揮発性メモリのように、一定時間プログラムを保持しているものも含むものとする。また上記プログラムは、前述した機能の一部を実現するためのものであってもよく、さらに前述した機能をコンピュータシステムにすでに記録されているプログラムとの組み合わせで実現できるものであってもよい。
【０１７７】
以上、本発明の実施形態を、図面を参照して詳述してきたが、具体的な構成はこの実施形態に限られるものではなく、本発明の趣旨を逸脱しない範囲で適宜変更を加えることができる。上述した各実施形態に記載の構成を組み合わせてもよい。
【符号の説明】
【０１７８】
１、２、３、４…料金比較装置、１００、２００、３００…制御部、１１０…請求情報取得部、２１０、３１０…サーバー情報取得部、１２０、２２０、３２０…表示制御部、１３０、２３０、３３０…承諾情報取得部、１５０、２５０、３５０…比較部、１６０…出力部、ＡＣＣ、ＡＣＣ１、ＡＣＣ２、ＡＣＣ３、ＡＣＣ１２、ＡＣＣ１３…承諾情報、ＡＰ１、ＡＰ２、ＡＰ３、ＡＰ４、ＡＰ５…承諾要求画面、ＣＭ…顧客、ＢＬ…料金請求書、ＡＣ…契約情報、ＢＡ…請求額、ＣＡＵ…顧客契約使用情報、ＣＩＤ…顧客情報、ＣＮ…顧客名、ＤＰ…請求期日、ＥＣ…エネルギー消費量、ＥＣＩ…消費量情報、ＦＩ…料金情報、ＢＣ…バーコード、ＢＣＩ…バーコード情報、ＢＬＩ、ＢＬＩ１、ＢＬＩ１２、ＢＬＩ２…請求情報、ＣＤ、ＣＤ１、ＣＤ２、ＣＤｎ…販売端末、ＢＲ…バーコードリーダー、ＴＰ…タッチパネル、ＴＰＤ…表示装置、ＴＰＥ…入力装置、ＴＰＩ…入力情報、ＣＲ、ＣＲ１２、ＣＲ１３、ＣＲ２、ＣＲ３…比較結果、Ｎ…ネットワーク、ＳＶ…サーバー、Ｐ、Ｐ１、Ｐ２、Ｐｎ…ＰＯＳ情報、ＰＩＤ…エネルギー供給者情報、ＰＯＳ情報、ＰＳ…払込票、ＰＶ…エネルギー供給者、ＰＶＮ…エネルギー供給者名、ＲＣ…領収書情報、ＳＣ…店舗控情報、ＳＣＭ…店舗顧客、ＳＳ…店員、ＳＰ、ＳＰ１、ＳＰ２、ＳＰｎ…店舗
【図１】
2017173876.tif 000003
【図２】
2017173876.tif 000004
【図３】
2017173876.tif 000005
【図４】
2017173876.tif 000006
【図５】
2017173876.tif 000007
【図６】
2017173876.tif 000008
【図７】
2017173876.tif 000009
【図８】
2017173876.tif 000010
【図９】
2017173876.tif 000011